(57)【要約】  デバイスによるグループ内のその他のデバイスのための安全性メッセージの通信と関係させて無線通信のための方法、装置、及びコンピュータプログラム製品が提供される。一例においては、ＵＥのグループ内の１つ以上のＵＥから属性情報を受信し、受信された属性情報に基づいてグループ属性情報を生成し、及び、ＵＥのグループのためにグループ属性情報をブロードキャストするために通信デバイスが装備される。該態様においては、通信デバイスは、ＵＥのグループのメンバーであり、及び、ＵＥのグループのリーダーである。他の例においては、ＵＥによって、ＵＥのグループのリーダーＵＥに属性情報を送信し、及び、属性情報の少なくとも一部分をブロードキャストするのを禁止するために通信デバイスが装備される。該態様においては、通信デバイスは、ＵＥのグループのメンバーである。
2016523029.tif 000002
【特許請求の範囲】
【請求項１】
無線通信方法であって、
ユーザ装置（ＵＥ）によって、ＵＥのグループ内の１つ以上のＵＥから属性情報を受信することであって、前記ＵＥは、ＵＥの前記グループのメンバーであり、前記ＵＥは、ＵＥの前記グループのリーダーであることと、
前記受信された属性情報に基づいてグループ属性情報を生成することと、
ＵＥの前記グループのために前記グループ属性情報をブロードキャストすることと、を備える、無線通信方法。
【請求項２】
ＵＥの前記グループ内の前記ＵＥの各々からＵＥ情報を受信することと、
前記ＵＥ情報に基づいて前記ＵＥがＵＥの前記グループの前記リーダーであると決定することと、をさらに備える請求項１に記載の方法。
【請求項３】
前記ＵＥ情報は、残りのバッテリ寿命を備え、前記決定することは、前記ＵＥがＵＥの前記グループ内の前記ＵＥのうちのいずれよりも長い残りのバッテリ寿命を有すると決定することをさらに備える請求項２に記載の方法。
【請求項４】
前記ＵＥは、ランダムなプロセスを通じてＵＥの前記グループの前記リーダーとして選択される請求項１に記載の方法。
【請求項５】
新しいＵＥからグループ加入メッセージを受信することと、
ＵＥの前記グループに前記新しいＵＥを加えることと、をさらに備え、前記ＵＥは、前記新しいＵＥから属性情報も受信する請求項１に記載の方法。
【請求項６】
前記属性情報は、低い送信電力を有する前記１つ以上のＵＥから受信される請求項１に記載の方法。
【請求項７】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項１に記載の方法。
【請求項８】
１つ以上のその他のデバイスから１つ以上のメッセージを受信することと、
前記１つ以上の基本的安全性メッセージを含むメッセージをメッセージダイジェストの形でＵＥの前記グループに送信することと、をさらに備える請求項１に記載の方法。
【請求項９】
無線通信方法であって、
ユーザ装置（ＵＥ）によって、ＵＥのグループのリーダーＵＥに属性情報を送信することであって、前記ＵＥは、ＵＥの前記グループのメンバーであることと、
ＵＥの前記グループ外で前記属性情報の少なくとも一部分をブロードキャストするのを禁止することと、を備える、無線通信方法。
【請求項１０】
前記属性情報は、低い送信電力を用いて前記リーダーＵＥに送信される請求項９に記載の方法。
【請求項１１】
前記ＵＥに関連する１つ以上のモジュールから前記属性情報を入手することと、
前記属性情報の送信時点で前記１つ以上のモジュールに関するデューティサイクルを低下させることと、をさらに備える請求項９に記載の方法。
【請求項１２】
ＵＥの前記グループの１つ以上のＵＥにグループ加入メッセージを送信することと、
ＵＥの前記グループへの加入を示す確認メッセージを受信することと、をさらに備える請求項９に記載の方法。
【請求項１３】
ＵＥの前記グループにＵＥ情報をブロードキャストすることと、
ＵＥの前記グループの１つ以上のＵＥからその他のＵＥ情報を受信することと、
前記ＵＥ情報及び前記受信されたその他のＵＥ情報の解析に基づいて前記ＵＥがＵＥの前記グループの新しいリーダーでないと決定することと、をさらに備える請求項９に記載の方法。
【請求項１４】
前記ＵＥ情報は、
残りのバッテリ電力値、又は
ＵＥの前記グループへの加入時間、のうちの少なくとも１つを備える請求項１３に記載の方法。
【請求項１５】
１つ以上のその他のデバイスからの１つ以上の基本的安全性メッセージを含むメッセージをＵＥの前記グループの前記リーダーＵＥから受信することであって、前記メッセージは、メッセージダイジェストの形であること、を備える請求項９に記載の方法。
【請求項１６】
通信のための装置であって、
ユーザ装置（ＵＥ）によって、ＵＥのグループ内の１つ以上のＵＥから属性情報を受信するための手段であって、前記ＵＥは、ＵＥの前記グループのメンバーであり、及び、前記ＵＥは、ＵＥの前記グループのリーダーである手段と、
前記受信された属性情報に基づいてグループ属性情報を生成するための手段と、
ＵＥの前記グループのために前記グループ属性情報をブロードキャストするための手段と、を備える、通信のための装置。
【請求項１７】
受信するための前記手段は、
ＵＥの前記グループ内の前記ＵＥの各々からＵＥ情報を受信するようにさらに構成され、
前記ＵＥ情報に基づいて前記ＵＥがＵＥの前記グループの前記リーダーであると決定するための手段をさらに備える請求項１６に記載の装置。
【請求項１８】
前記ＵＥ情報は、残りのバッテリ寿命を備え、決定するための前記手段は、前記ＵＥがＵＥの前記グループ内の前記ＵＥのうちのいずれよりも長い残りのバッテリ寿命を有すると決定するようにさらに構成される請求項１７に記載の装置。
【請求項１９】
前記ＵＥは、ランダムなプロセスを通じてＵＥの前記グループの前記リーダーとして選択される請求項１６に記載の装置。
【請求項２０】
受信するための前記手段は、
新しいＵＥからグループ加入メッセージを受信するようにさらに構成され、
ＵＥの前記グループに前記新しいＵＥを加えるための手段をさらに備え、
受信するための前記手段は、前記新しいＵＥから属性情報を受信するようにさらに構成される請求項１６に記載の装置。
【請求項２１】
前記属性情報は、低い送信電力を有する１つ以上のＵＥから受信される請求項１６に記載の装置。
【請求項２２】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項１６に記載の装置。
【請求項２３】
受信するための前記手段は、
１つ以上のその他のデバイスから１つ以上のメッセージを受信するようにさらに構成され、
ブロードキャストするための前記手段は、前記１つ以上の基本的安全性メッセージを含むメッセージをメッセージダイジェストの形でＵＥの前記グループに送信するようにさらに構成される請求項１６に記載の装置。
【請求項２４】
無線通信のための装置であって、
ユーザ装置（ＵＥ）によって、ＵＥのグループのリーダーＵＥに属性情報を送信するための手段であって、前記ＵＥは、ＵＥの前記グループのメンバーである手段と、
ＵＥの前記グループ外で前記属性情報の少なくとも一部分をブロードキャストするのを禁止するための手段と、を備える、無線通信のための装置。
【請求項２５】
前記属性情報は、低い送信電力を用いて前記リーダーＵＥに送信される請求項２４に記載の装置。
【請求項２６】
前記ＵＥに関連する１つ以上のモジュールから前記属性情報を入手するための手段と、
前記属性情報の送信時点で前記１つ以上のモジュールに関するデューティサイクルを低下させるための手段と、をさらに備える請求項２４に記載の装置。
【請求項２７】
送信するための前記手段は、
ＵＥの前記グループの１つ以上のＵＥにグループ加入メッセージを送信するようにさらに構成され、
ＵＥの前記グループへの加入を示す確認メッセージを受信するための手段をさらに備える請求項２４に記載の装置。
【請求項２８】
送信するための前記手段は、ＵＥの前記グループにＵＥ情報をブロードキャストするようにさらに構成され、
ＵＥの前記グループの１つ以上のＵＥからその他のＵＥ情報を受信するための手段と、
前記ＵＥ情報及び前記受信されたその他のＵＥ情報の解析に基づいて前記ＵＥがＵＥの前記グループの新しいリーダーでないと決定するための手段と、をさらに備える請求項２４に記載の装置。
【請求項２９】
前記ＵＥ情報は、
残りのバッテリ電力値、又は
ＵＥの前記グループへの加入時間、のうちの少なくとも１つを備える請求項２８に記載の装置。
【請求項３０】
１つ以上のその他のデバイスからの１つ以上の基本的安全性メッセージを含むメッセージをＵＥの前記グループの前記リーダーＵＥから受信するための手段であって、前記メッセージは、メッセージダイジェストの形である手段、をさらに備える請求項２４に記載の装置。
【請求項３１】
通信のための装置であって、
ユーザ装置（ＵＥ）によって、ＵＥのグループ内の１つ以上のＵＥから属性情報を受信するように構成され、ここにおいて、前記ＵＥは、ＵＥの前記グループのメンバーであり、及び、前記ＵＥは、ＵＥの前記グループのリーダーであり、
前記受信された属性情報に基づいてグループ属性情報を生成するように構成され、及び
ＵＥの前記グループのために前記グループ属性情報をブロードキャストするように構成された処理システム、を備える、通信のための装置。
【請求項３２】
前記処理システムは、
ＵＥの前記グループ内の前記ＵＥの各々からＵＥ情報を受信し、及び
前記ＵＥ情報に基づいて前記ＵＥがＵＥの前記グループの前記リーダーであると決定するようにさらに構成される請求項３１に記載の装置。
【請求項３３】
前記ＵＥ情報は、残りのバッテリ寿命を備え、前記処理システムは、前記ＵＥがＵＥの前記グループ内の前記ＵＥのうちのいずれよりも長い残りのバッテリ寿命を有すると決定するようにさらに構成される請求項３２に記載の装置。
【請求項３４】
前記ＵＥは、ランダムなプロセスを通じてＵＥの前記グループの前記リーダーとして選択される請求項３１に記載の装置。
【請求項３５】
前記処理システムは、
新しいＵＥからグループ加入メッセージを受信し、
ＵＥの前記グループに前記新しいＵＥを加え、及び
前記新しいＵＥから属性情報を受信するようにさらに構成される請求項３１に記載の装置。
【請求項３６】
前記属性情報は、低い送信電力を有する１つ以上のＵＥから受信される請求項３１に記載の装置。
【請求項３７】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項３１に記載の装置。
【請求項３８】
前記処理システムは、
１つ以上のその他のデバイスから１つ以上のメッセージを受信し、及び
前記１つ以上の基本的安全性メッセージを含むメッセージをメッセージダイジェストの形でＵＥの前記グループに送信するようにさらに構成される請求項３１に記載の装置。
【請求項３９】
通信のための装置であって、
ユーザ装置（ＵＥ）によって、ＵＥのグループのリーダーＵＥに属性情報を送信するように構成され、ここにおいて、前記ＵＥは、ＵＥの前記グループのメンバーであり、及び
ＵＥの前記グループ外で前記属性情報の少なくとも一部分をブロードキャストするのを禁止するように構成される処理システム、を備える、無線通信のための装置。
【請求項４０】
前記属性情報は、低い送信電力を用いて前記リーダーＵＥに送信される請求項３９に記載の装置。
【請求項４１】
前記処理システムは、
前記ＵＥに関連する１つ以上のモジュールから前記属性情報を入手し、及び
前記属性情報の送信時点で前記１つ以上のモジュールに関するデューティサイクルを低下させるようにさらに構成される請求項３９に記載の装置。
【請求項４２】
前記処理システムは、
ＵＥの前記グループの１つ以上のＵＥにグループ加入メッセージを送信し、及び
ＵＥの前記グループへの加入を示す確認メッセージを受信するようにさらに構成される請求項３９に記載の装置。
【請求項４３】
前記処理システムは、
ＵＥの前記グループにＵＥ情報をブロードキャストし、
ＵＥの前記グループの１つ以上のＵＥからその他のＵＥ情報を受信し、及び
前記ＵＥ情報及び前記受信されたその他のＵＥ情報の解析に基づいて前記ＵＥがＵＥの前記グループの新しいリーダーでないと決定するようにさらに構成される請求項３９に記載の装置。
【請求項４４】
前記ＵＥ情報は、
残りのバッテリ電力値、又は
ＵＥの前記グループへの加入時間、のうちの少なくとも１つを備える請求項４３に記載の装置。
【請求項４５】
前記処理システムは、
１つ以上のその他のデバイスからの１つ以上の基本的安全性メッセージを含むメッセージをＵＥの前記グループの前記リーダーＵＥから受信するようにさらに構成され、前記メッセージは、メッセージダイジェストの形である請求項３９に記載の装置。
【請求項４６】
コンピュータプログラム製品であって、
ユーザ装置（ＵＥ）によって、ＵＥのグループ内の１つ以上のＵＥから属性情報を受信するためのコードであって、前記ＵＥは、ＵＥの前記グループのメンバーであり、及び、前記ＵＥは、ＵＥの前記グループのリーダーであるコードと、
前記受信された属性情報に基づいてグループ属性情報を生成するためのコードと、
ＵＥの前記グループのために前記グループ属性情報をブロードキャストするためのコードと、を備えるコンピュータによって読み取り可能な媒体、を備える、コンピュータプログラム製品。
【請求項４７】
ＵＥの前記グループ内の前記ＵＥの各々からＵＥ情報を受信するためのコードと、
前記ＵＥ情報に基づいて前記ＵＥがＵＥの前記グループの前記リーダーであると決定するためのコードと、をさらに備える請求項４６に記載のコンピュータプログラム製品。
【請求項４８】
前記ＵＥ情報は、残りのバッテリ寿命と、前記ＵＥがＵＥの前記グループ内の前記ＵＥのうちのいずれよりも長い残りのバッテリ寿命を有すると決定するためのさらなるコードと、を備える請求項４７に記載のコンピュータプログラム製品。
【請求項４９】
前記ＵＥは、ランダムなプロセスを通じてＵＥの前記グループの前記リーダーとして選択される請求項４６に記載のコンピュータプログラム製品。
【請求項５０】
新しいＵＥからグループ加入メッセージを受信するためのコードと、
ＵＥの前記グループに前記新しいＵＥを加えるためのコードと、
前記新しいＵＥから属性情報を受信するためのコードと、をさらに備える請求項４６に記載のコンピュータプログラム製品。
【請求項５１】
前記属性情報は、低い送信電力を有する前記１つ以上のＵＥから受信される請求項４６に記載のコンピュータプログラム製品。
【請求項５２】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項４６に記載のコンピュータプログラム製品。
【請求項５３】
１つ以上のその他のデバイスから１つ以上のメッセージを受信するためのコードと、
前記１つ以上の基本的安全性メッセージを含むメッセージをメッセージダイジェストの形でＵＥの前記グループに送信するためのコードと、をさらに備える請求項４６に記載のコンピュータプログラム製品。
【請求項５４】
コンピュータプログラム製品であって、
ユーザ装置（ＵＥ）によって、ＵＥのグループのリーダーＵＥに属性情報を送信するためのコードであって、前記ＵＥは、ＵＥの前記グループのメンバーであるコードと、
ＵＥの前記グループ外で前記属性情報の少なくとも一部分をブロードキャストするのを禁止するためのコードと、を備えるコンピュータによって読み取り可能な媒体、を備える、コンピュータプログラム製品。
【請求項５５】
前記属性情報は、低い送信電力を用いて前記リーダーＵＥに送信される請求項５４に記載のコンピュータプログラム製品。
【請求項５６】
前記ＵＥに関連する１つ以上のモジュールから前記属性情報を入手するためのコードと、
前記属性情報の送信時点で前記１つ以上のモジュールに関するデューティサイクルを低下させるためのコードと、をさらに備える請求項５４に記載のコンピュータプログラム製品。
【請求項５７】
ＵＥの前記グループの１つ以上のＵＥにグループ加入メッセージを送信するためのコードと、
ＵＥの前記グループへの加入を示す確認メッセージを受信するためのコードと、をさらに備える請求項５４に記載のコンピュータプログラム製品。
【請求項５８】
ＵＥの前記グループにＵＥ情報をブロードキャストするためのコードと、
ＵＥの前記グループの１つ以上のＵＥからその他のＵＥ情報を受信するためのコードと、
前記ＵＥ情報及び前記受信されたその他のＵＥ情報の解析に基づいて前記ＵＥがＵＥの前記グループの新しいリーダーでないと決定するためのコードと、をさらに備える請求項５４に記載のコンピュータプログラム製品。
【請求項５９】
前記ＵＥ情報は、
残りのバッテリ電力値、又は
ＵＥの前記グループへの加入時間、のうちの少なくとも１つを備える請求項５８に記載のコンピュータプログラム製品。
【請求項６０】
１つ以上のその他のデバイスからの１つ以上の基本的安全性メッセージを含むメッセージをＵＥの前記グループの前記リーダーＵＥから受信するためのコードであって、前記メッセージは、メッセージダイジェストの形であるコード、をさらに備える請求項５４に記載のコンピュータプログラム製品。
【発明の詳細な説明】
【技術分野】
【０００１】
関連出願の相互参照
［０００１］本出願は、“METHOD AND APPARATUS FOR EFFICIENT COMMUNICATION OF SAFETY MESSAGES FOR A GROUP OF USER EQUIPMENTS”（ユーザ装置のグループに関する安全性メッセージの効率的な通信のための方法及び装置）という題名を有し、ここにおける引用によってそれ全体が明示で組み入れられている米国非仮特許出願一連番号第１３／８７５，６５２号（出願日：２０１３年５月２日）の優先権を主張するものである。
【０００２】
［０００２］本開示は、概して、通信システムに関するものであり、より具体的には、デバイスによるグループ内のその他のデバイスのための安全性メッセージの通信に関するものである。
【背景技術】
【０００３】
［０００３］様々な電気通信サービス、例えば、テレフォニー、映像、データ、メッセージング、ブロードキャスト、を提供することを目的として無線通信システムが広範囲にわたって配備されている。典型的な無線通信システムは、利用可能なシステムリソース（例えば、帯域幅、送信電力）を共有することによって複数のユーザとの通信をサポートすることが可能な多元接続技術を採用することができる。該多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波周波数分割多元接続（ＳＣ−ＦＤＭＡ）システムと、時分割同期符号分割多元接続（ＴＤ−ＳＣＤＭＡ）システムと、を含む。
【０００４】
［０００４］これらの多元接続技術は、複数の異なる無線デバイスが市町村レベル、国内レベル、地域レベル、さらにはグローバルレベルで通信するのを可能にする共通のプロトコルを提供することを目的として様々な電気通信規格において採用されている。電気通信規格の一例は、ＬＴＥである。ＬＴＥは、第三世代パートナーシッププロジェクト（３ＧＰＰ）によって公布されたユニバーサル移動電気通信システム（ＵＭＴＳ）モバイル規格の一組の拡張である。ＬＴＥは、スペクトル効率を向上させることによってモバイルブロードバンドインターネットアクセスをより良くサポートし、コストを削減し、サービスを向上させ、新しいスペクトルを利用し、ダウンリンク（ＤＬ）でのＯＦＤＭＡ、アップリンク（ＵＬ）でのＳＣ−ＦＤＭＡ、及び多入力多出力（ＭＩＭＯ）アンテナ技術を使用するその他のオープン規格とより良く統合するように設計されている。ＬＥＴは、直接的なデバイス・ツー・デバイス（ピア・ツー・ピア）通信をサポートすることができる。
【０００５】
［０００５］Ｄ２Ｄ通信を求める要求が増大するのに応じて、ＬＴＥ内の様々なＤ２Ｄ通信構成をサポートするための方法／装置の必要性が存在する。
【発明の概要】
【０００６】
［０００６］以下は、１つ以上の態様についての基本的な理解を提供することを目的として該態様の単純化された概要を示すものである。この概要は、すべての企図される態様の広範な概略ではなく、又、全態様の主要な又は非常に重要な要素を特定するわけではないこと、及び態様のいずれの態様の適用範囲も詳述はせず及び全態様の適用範囲を詳述するわけではないことが意図される。それの唯一の目的は、後述されるより詳細な発明を実施するための形態の準備段階として、１つ以上の態様の幾つかの概念を簡略化された形で提示することである。
【０００７】
［０００７］１つ以上の態様及びそれらの対応する開示により、デバイスによるグループ内のその他のデバイスのための安全性メッセージの通信と関係させて様々な態様が説明される。一例においては、ＵＥのグループ内の１つ以上のＵＥから属性情報を受信し、受信された属性情報に基づいてグループ属性情報を生成し、及び、ＵＥのグループのためにグループ属性情報をブロードキャストするために通信デバイスが装備される。該態様においては、通信デバイスは、ＵＥのグループのメンバーであり、及び、ＵＥのグループのリーダーである。他の例においては、ＵＥによって、属性情報をＵＥのグループのリーダーＵＥに送信し、及び、属性情報の少なくとも一部分をブロードキャストするのを禁止するために通信デバイスが装備される。該態様においては、通信デバイスは、ＵＥのグループのメンバーである。
【０００８】
［０００８］関連する態様により、デバイスによるグループ内のその他のデバイスのための安全性メッセージの通信のための方法が提供される。その方法は、ユーザ装置（ＵＥ）によって、ＵＥのグループ内の１つ以上のＵＥから属性情報を受信することを含むことができる。一態様においては、ＵＥは、ＵＥのグループのメンバーであることができ、及び、ＵＥのグループのリーダーであることができる。さらに、その方法は、受信された属性情報に基づいてグループ属性情報を生成することを含むことができる。さらに、その方法は、ＵＥのグループのためにグループ属性情報をブロードキャストすることを含むことができる。
【０００９】
［０００９］他の態様は、グループ内のその他のデバイスのために安全性メッセージを通信することが可能にされた通信装置に関するものである。その通信装置は、ＵＥによって、ＵＥのグループ内の１つ以上のＵＥから属性情報を受信するための手段を含むことができる。一態様においては、ＵＥは、ＵＥのグループのメンバーであることができ、及び、ＵＥのグループのリーダーであることができる。さらに、その通信装置は、受信された属性情報に基づいてグループ属性情報を生成するための手段を含むことができる。さらに、その通信装置は、ＵＥのグループのためにグループ属性情報をブロードキャストするための手段を含むことができる。
【００１０】
［００１０］他の態様は、通信装置に関するものである。その装置は、ＵＥによって、ＵＥのグループ内の１つ以上のＵＥから属性情報を受信するように構成された処理システムを含むことができる。一態様においては、ＵＥは、ＵＥのグループのメンバーであることができ、及び、ＵＥのグループのリーダーであることができる。さらに、処理システムは、受信された属性情報に基づいてグループ属性情報を生成するように構成することができる。さらに、処理システムは、ＵＥのグループのためにグループ属性情報をブロードキャストするようにさらに構成することができる。
【００１１】
［００１１］さらに他の態様は、コンピュータプログラム製品に関するものであり、それは、ＵＥによって、ＵＥのグループ内の１つ以上のＥＵから属性情報を受信するためのコードを含むコンピュータによって読み取り可能な媒体を有することができる。一態様においては、ＵＥは、ＵＥのグループのメンバーであることができ、及び、ＵＥのグループのリーダーであることができる。さらに、コンピュータによって読み取り可能な媒体は、受信された属性情報に基づいてグループ属性情報を生成するためのコードを含むことができる。さらに、コンピュータによって読み取り可能な媒体は、ＵＥのグループのためにグループ属性情報をブロードキャストするための手段を含むことができる。
【００１２】
［００１２］関連する態様により、デバイスのグループのリーダーデバイスに安全性メッセージを通信するための方法が提供される。その方法は、ＵＥによって、ＵＥのグループのリーダーデバイスに属性情報を送信することを含むことができる。一態様においては、ＵＥは、ＵＥのグループのメンバーであることができる。さらに、その方法は、ＵＥのグループ外において属性情報の少なくとも一部分のブロードキャストするのを禁止することを含む。
【００１３】
［００１３］他の態様は、デバイスのグループのリーダーデバイスと安全性メッセージを通信することが可能にされた通信装置に関するものである。その通信装置は、ＵＥによって、ＵＥのグループのリーダーＵＥに属性情報を送信するための手段を含むことができる。一態様においては、ＵＥは、ＵＥのグループのメンバーであることができる。さらに、その通信装置は、ＵＥのグループ外において属性情報の少なくとも一部分をブロードキャストするのを禁止するための手段を含むことができる。
【００１４】
［００１４］他の態様は、通信装置に関するものである。その装置は、ＵＥによって、ＵＥのグループのリーダーＵＥに属性情報を送信するように構成された処理システムを含むことができる。一態様においては、ＵＥは、ＵＥのグループのメンバーであることができる。さらに、処理システムは、ＵＥのグループ外において属性情報の少なくとも一部分をブロードキャストするのを禁止するようにさらに構成することができる。
【００１５】
［００１５］さらに他の態様は、コンピュータプログラム製品に関するものであり、それは、ＵＥによって、ＵＥのグループのリーダーＵＥに属性情報を送信するためのコードを含むコンピュータによって読み取り可能な媒体を有することができる。一態様においては、ＵＥは、ＵＥのグループのメンバーであることができる。さらに、コンピュータによって読み取り可能な媒体は、ＵＥのグループ外において属性情報の少なくとも一部分をブロードキャストするのを禁止するためのコードを含むことができる。
【００１６】
［００１６］上記及び関連する目的の完遂を目的として、１つ以上の態様は、以下において十分に説明され、請求項において特に指摘される特徴を備える。以下の説明及び添付される図面は、１つ以上の態様の幾つかの例示的な特徴を詳細に示す。しかしながら、これらの特徴は、様々な態様の原理を採用することができる様々な方法のうちのほんのわずかを示すにすぎず、この説明は、すべての該態様及びそれらの同等物を含むことが意図される。
【図面の簡単な説明】
【００１７】
【図１】［００１７］ネットワークアーキテクチャの例を示した図である。
【図２】［００１８］アクセスネットワークの例を示した図である。
【図３】［００１９］ＬＴＥにおけるＤＬフレーム構造の例を示した図である。
【図４】［００２０］ＬＴＥにおけるＵＬフレーム構造の例を示した図である。
【図５】［００２１］アクセスネットワークにおけるエボルブドノードＢ及びユーザ装置の例を示した図である。
【図６】［００２２］デバイス・ツー・デバイス通信ネットワークを例示した図である。
【図７】［００２３］一態様による、ユーザ装置のグループに関する安全性情報の効率的な通信を行うように構成されるデバイス・ツー・デバイス通信ネットワークを例示した図である。
【図８】［００２４］一態様による、複数のＵＥと１つ以上のその他のデバイスとを含む通信システム例を示した呼流れ図である。
【図９】［００２５］第１の無線通信方法のフローチャートである。
【図１０】［００２６］第２の無線通信方法のフローチャートである。
【図１１】［００２７］典型的な装置における複数の異なるモジュール／手段／コンポーネント間でのデータの流れを例示した概念的データ流れ図である。
【図１２】［００２８］処理システムを採用する装置に関するハードウェア実装例を示した図である。
【発明を実施するための形態】
【００１８】
［００２９］添付される図面と関係させて以下において示される発明を実施するための形態は、様々な構成に関する説明であることが意図されており、ここにおいて説明される概念を実践することができる唯一の構成を表すことは意図されていない。発明を実施するための形態は、様々な概念に関する徹底的な理解を提供することを目的とする具体的な詳細を含む。しかしながら、これらの概念は、これらの具体的な詳細なしに実践可能であることが当業者にとって明らかになるであろう。幾つかの例においては、よく知られた構造及びコンポーネントは、該概念を曖昧にすることを避けるためにブロック図形で示される。
【００１９】
［００３０］今度は電気通信システムの幾つかの態様が様々な装置及び方法を参照して提示される。これらの装置及び方法は、様々なブロック、モジュール、コンポーネント、回路、ステップ、プロセス、アルゴリズム、等（総称して“要素”と呼ばれる）によって以下の発明を実施するための形態において説明され、添付される図面において例示される。これらの要素は、電子ハードウェア、コンピュータソフトウェア、又はそれらの組み合わせを用いて実装することができる。該要素がハードウェア又はソフトウェアのいずれとして実装されるかは、特定の用途及び全体的なシステムに対して課せられた設計上の制約事項に依存する。
【００２０】
［００３１］例として、要素、又は要素の一部、又は要素の組み合わせは、１つ以上のプロセッサを含む“処理システム”によって実装することができる。プロセッサの例は、本開示全体を通じて説明される様々な機能を果たすように構成されたマイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲーテッドロジック、ディスクリートハードウェア回路、及びその他の適切なハードウェアを含む。処理システム内の１つ以上のプロセッサは、ソフトウェアを実行することができる。ソフトウェアとは、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、エクセキュータブル（ｅｘｅｃｕｔａｂｌｅ）、実行スレッド、プロシージャ、関数、等を意味すると広義で解釈するものとし、ソフトウェア、ファームウェア、ミドルウェア、マイクロコード、ハードウェア記述言語、又はその他のいずれとして呼ばれるかを問わない。
【００２１】
［００３２］従って、１つ以上の典型的な実施形態においては、説明される機能は、ハードウェア、ソフトウェア、ファームウェア、又はそれらの組み合わせ内に実装することができる。ソフトウェアにおいて実装される場合は、これらの機能は、コンピュータによって読み取り可能な媒体において１つ以上の命令又はコードとして格納すること又は符号化することができる。コンピュータによって読み取り可能な媒体は、コンピュータ記憶媒体を含む。記憶媒体は、コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能なあらゆるその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【００２２】
［００３３］図１は、ＬＴＥネットワークアーキテクチャ１００を例示した図である。ＬＴＥネットワークアーキテクチャ１００は、エボルブドパケットシステム（ＥＰＳ）１００と呼ぶことができる。ＥＰＳ１００は、１つ以上のユーザ装置（ＵＥ）１０２と、エボルブドＵＭＴＳ地上無線アクセスネットワーク（Ｅ−ＵＴＲＡＮ）１０４と、エボルブドパケットコア（ＥＰＣ）１１０と、ホーム加入者サーバ（ＨＳＳ）１２０と、オペレータＩＰサービス１２２と、を含むことができる。ＥＰＳは、その他のアクセスネットワークと相互に接続することができるが、単純化することを目的として、それらのエンティティ／インタフェースは示されていない。示されるように、ＥＰＳは、パケット交換型サービスを提供する。しかしながら、当業者が容易に評価するように、本開示全体を通じて提示される様々な概念は、回線交換型サービスを提供するネットワークに拡張することができる。
【００２３】
［００３４］Ｅ−ＵＴＲＡＮは、エボルブドノードＢ（ｅＮＢ）１０６と、その他のｅＮＢ１０８と、を含む。ｅＮＢ１０６は、ＵＥ１２０へ向けてのユーザ及び制御プレーンプロトコル終端を提供する。ｅＮＢ１０６は、バックホール（例えば、Ｘ２インタフェース）を介してその他のｅＮＢ１０８に接続することができる。ｅＮＢ１０６は、基地局（ＢＳ）、ベーストランシーバ局、無線基地局、無線トランシーバ、トランシーバ機能、ベーシックサービスセット（ＢＳＳ）、拡張サービスセット（ＥＳＳ）、と呼ぶこと又はその他の何らかの用語で呼ぶことができる。ｅＮＢ１０６は、ＵＥ１０２のためにＥＰＣ１１０にアクセスポイントを提供する。ＵＥ１０２の例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、映像デバイス、デジタルオーディオプレーヤー（例えば、ＭＰ３プレーヤー）、カメラ、ゲームコンソール、又はその他の同様の機能のデバイスを含む。ＵＥ１０２は、当業者によって、移動局、加入者局、モバイルユニット、加入者ユニット、ワイヤレスユニット、リモートユニット、モバイルデバイス、ワイヤレスデバイス、無線通信デバイス、リモートデバイス、モバイル加入者局、アクセス端末、モバイル端末、無線端末、遠隔端末、ハンドセット、ユーザエージェント、モバイルクライアント、クライアント、と呼ぶこと又は何らかのその他の用語で呼ぶことができる。
【００２４】
［００３５１］ＵＥ１０２は、Ｄ２Ｄ接続１０３を形成することができる。一態様においては、Ｄ２Ｄ接続１０３は、ＵＥ１０２が互いに通信するのを可能にするように構成することができる。他の態様においては、ＵＥ１０２は、Ｄ２Ｄ接続１０３を用いて互いに通信することができるＵＥのグループのリーダーとして行動することができる。Ｄ２Ｄ接続１０３の例は、ＩＥＥＥ  ８０２．１１ｐに基づく通信を参照して提供される。ＩＥＥＥ  ８０２．１１ｐに基づく専用短距離通信（ＤＳＲＣ）波システムは、基本的安全性メッセージフォーマットを提供し、デバイス（例えば、車両）は、それらの位置、速度及びその他の属性をその他のデバイス（例えば、その他の車両）に定期的に提供し、それによって、近隣トラフィックがそれらの位置を追跡すること、衝突を回避すること、トラフィックフローを向上させること、等を可能にする。さらに、これらのシステムにおける通信プロトコルは、（ユーザ装置（ＵＥ）を有する）歩行者がこのスペクトルを利用すること及び存在、等の情報を周囲の車両に示すことができる基本的安全性メッセージを定期的に送信することを妨げない。
【００２５】
［００３６］ｅＮＢ１０６は、Ｓ１インタフェースによってＥＰＣ１１０に接続される。ＥＰＣ１１０は、移動性管理エンティティ（ＭＭＥ）１１２と、その他のＭＭＥ１１４と、サービングゲートウェイ１１６と、パケットデータネットワーク（ＰＤＮ）ゲートウェイ１１８と、を含む。ＭＭＥ１１２は、ＵＥ１０２とＥＰＣ１１０との間のシグナリングを処理する制御ノードである。概して、ＭＭＥ１１２は、ベアラ及び接続の管理を提供する。すべてのユーザＩＰパケットがサービングゲートウェイ１１６を通じて転送され、それ自体は、ＰＤＮゲートウェイ１１８に接続される。ＰＤＮゲートウェイ１１８は、ＵＥ  ＩＰアドレス割り当て及びその他の機能を提供する。ＰＤＮゲートウェイ１１８は、オペレータＩＰサービス１２２に接続される。オペレータＩＰサービス１２２は、インターネットと、イントラネットと、ＩＰマルチメディアサブシステム（ＩＭＳ）と、ＰＳストリーミングサービス（ＰＳＳ）と、を含むことができる。
【００２６】
［００３７］図２は、ＬＴＥネットワークアーキテクチャにおけるアクセスネットワーク２００の例を示した図である。この例では、アクセスネットワーク２００は、幾つかのセルラー領域（セル）２０２に分割される。１つ以上のより低い電力クラスのｅＮＢ２０８が、セル２０２のうちの１つ以上と重なり合うセルラー領域２１０を有することができる。より低い電力クラスのｅＮＢ２０８は、フェムトセル（例えば、ホームｅＮＢ（ＨｅＮＢ））、ピコセル、又はミクロセル、又はリモートラジオヘッド（ＲＲＨ）であることができる。マクロｅＮＢ２０４が各々のセル２０２に各々割り当てられ、セル２０２内のすべてのＵＥ２０６、２１２のためにＥＰＣ１１０にアクセスポイントを提供するように構成される。ＵＥ２１２の一部は、デバイス・ツー・デバイス通信状態にあることができる。アクセスネットワーク２００のこの例では中央集中型コントローラは存在しないが、代替構成においては中央集中型コントローラを使用することができる。ｅＮＢ２０４は、無線ベアラ制御と、アドミッション制御と、モビリティ制御と、スケジューリングと、セキュリティと、サービングゲートウェイ１１６への接続性と、を含むすべての無線関連機能を担当する。
【００２７】
［００３８］アクセスネットワーク２００によって採用される変調及び多元接続方式は、配備されている特定の電気通信規格に依存して異なることができる。ＬＴＥ用途では、周波数分割複信（ＦＤＤ）及び時分割複信（ＴＤＤ）の両方をサポートするためにＤＬではＯＦＤＭが使用され、ＵＬではＳＣ−ＦＤＭＡが使用される。後続する発明を実施するための形態から当業者が容易に評価することになるように、ここにおいて提示される様々な概念はＬＴＥ用途に非常に適している。しかしながら、これらの概念は、その他の変調技法及び多元接続技法を採用するその他の電気通信規格に容易に拡張することができる。例として、これらの概念は、エボリューション−データ・オプティテマイズド（Ｅｖｏｌｕｔｉｏｎ−Ｄａｔａ  Ｏｐｔｉｍｉｚｅｄ（ＥＶ−ＤＯ）又はウルトラモバイルブロードバンド（Ｕｌｔｒａ  Ｍｏｂｉｌｅ  Ｂｒｏａｄｂａｎｄ（ＵＭＢ）に拡張することができる。ＥＶ−ＤＯ及びＵＭＢは、ＣＤＭＡ規格系統の一部として第三世代パートナーシッププロジェクト２（３ＧＰＰ２）によって公布されたエアインタフェース規格であり、移動局にブロードバンドインターネットアクセスを提供するためにＣＤＭＡを採用する。これらの概念は、ワイドバンド−ＣＤＭＡ（Ｗ−ＣＤＭＡ）及びＣＤＭＡのその他の変形、例えば、ＴＤ−ＳＣＤＭＡ、を採用するユニバーサル地上無線アクセス（ＵＴＲＡ）、ＴＤＭＡを採用するグローバル移動通信システム（ＧＳＭ（登録商標））、及び、ＯＦＤＭＡを採用するエボルブドＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、及びＦｌａｓｈ−ＯＦＤＭに対しても拡張することができる。ＵＴＲＡ、Ｅ−ＵＴＲＡ、ＵＭＴＳ、ＬＴＥ及びＧＳＭは、３ＧＰＰ組織からの文書において記述されている。ＣＤＭＡ２０００及びＵＭＢは、３ＧＰＰ組織からの文書において記述されている。採用される実際の無線通信規格及び多元接続技術は、特定の用途及びシステムに対して課せられている全体的システムに関する制約事項に依存する。
【００２８】
［００３９］図３は、ＬＴＥにおけるＤＬフレーム構造の例を示した図３００である。フレーム（１０ｍｓ）は、１０の等しいサイズのサブフレームに分割することができる。各サブフレームは、２つの連続するタイムスロットを含むことができる。２つのタイムスロットを表現するためにリソースグリッドを使用することができ、各タイムスロットは、リソースブロックを含む。リソースグリッドは、複数のリソース要素に分割される。ＬＴＥでは、リソースブロックには、周波数領域内に１２の連続する副搬送波が入っており、各ＯＦＤＭシンボル内の通常のサイクリックプリフィックスに関しては、時間領域内に７つの連続するＯＦＤＭシンボル、又は８４のリソース要素が入っている。拡張されたサイクリックプリフィックスの場合は、リソースブロックには、時間領域内に６つの連続するＯＦＤＭシンボルが入っており、７２のリソース要素を有する。リソース要素には、物理ＤＬ制御チャネル（ＰＤＣＣＨ）、物理ＤＬ共有チャネル（ＰＤＳＣＨ）、及びその他のチャネルをマッピングすることができる。
【００２９】
［００４０］図４は、ＬＴＥにおけるＵＬフレーム構造の例を示した図４００である。ＵＬに関する利用可能なリソースブロックは、データ部及び制御部に分割することができる。制御部は、システム帯域幅の２つの縁部において形成することができ及び設定可能なサイズを有することができる。制御部内のリソースブロックは、制御情報の送信のためにＵＥに割り当てることができる。データ部は、制御部に含まれていないすべてのリソースブロックを含むことができる。ＵＬフレーム構造の結果として、データ部は隣接する副搬送波を含み、それは、データ部のすべての隣接する副搬送波を単一のＵＥに割り当てるのを可能にすることができる。
【００３０】
［００４１］ＵＥには、ｅＮＢに制御情報を送信するために制御部内でリソースブロック４１０ａ、４１０ｂを割り当てることができる。ＵＥには、ｅＮＢにデータを送信するためにデータ部内でリソースブロック４２０ａ、４２０ｂを割り当てることもできる。ＵＥは、制御部内の割り当てられたリソースブロックにおける物理ＵＬ制御チャネル（ＰＵＣＣＨ）で制御情報を送信することができる。ＵＥは、データ部内の割り当てられたリソースブロックにおける物理ＵＬ共有チャネル（ＰＵＳＣＨ）でデータのみ又はデータと制御情報の両方を送信することができる。ＵＬ送信は、サブフレームの両方のスロットにわたることができ及び周波数間でホップすることができる。
【００３１】
［００４２］物理ランダムアクセスチャネル（ＰＲＡＣＨ）４３０で最初のシステムアクセスを行い及びＵＬ同期化を達成するために一組のリソースブロックを使用することができる。ＰＲＡＣＨ４３０は、ランダムシーケンスを搬送し、及び、ＵＬデータ／シグナリングを搬送することができない。各ランダムアクセスプリアンブルは、６つの連続するリソースブロックに対応する帯域幅を占める。開始周波数は、ネットワークによって指定される。すなわち、ランダムアクセスプリアンブルの送信は、ある一定の時間リソース及び周波数リソースに制限される。ＰＲＡＣＨに関して周波数ホッピングは存在しない。ＰＲＡＣＨ試行は、単一のサブフレーム（１ｍｓ）で又は幾つかの隣接するサブフレームのシーケンスで搬送され、ＵＥは、１つフレーム当たり（１０ｍｓ）単一のＰＲＡＣＨ試行のみを行うことができる。
【００３２】
［００４３］図５は、アクセスネットワークにおいてＵＥ６５０と通信状態にあるｅＮＢ５１０のブロック図である。ＤＬでは、コアネットワークからの上層パケットがコントローラ／プロセッサ５７５に提供される。コントローラ／プロセッサ５７５は、Ｌ２層の機能を実装する。ＤＬでは、コントローラ／プロセッサ５７５は、ヘッダ圧縮、符号化、パケットのセグメンテーションと順序再設定、論理チャネルとトランスポートチャネルとの間での多重化、及び、様々な優先度メトリックに基づいたＵＥ５５０への無線リソースの割り当てを提供する。コントローラ／プロセッサ５７５は、ＨＡＲＱ動作、失われたパケットの再送信、及びＵＥ５５０へのシグナリングも担当する。
【００３３】
［００４４］送信（ＴＸ）プロセッサ５１６は、Ｌ１層（すなわち、物理層）に関する様々な信号処理機能を実装する。信号処理機能は、ＵＥ５５０における前方誤り訂正（ＦＥＣ）を容易にするためにコーディング及びインターリービングすることと、様々な変調方式（例えば、２位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づいて信号点配置にマッピングすることと、を含む。コーディング及び変調されたシンボルは、平行するストリームに分割される。各ストリームは、ＯＦＤＭ副搬送波にマッピングされ、時間領域及び／又は周波数領域において基準信号（例えば、パイロット）と多重化され、次に逆高速フーリエ変換（ＩＦＦＴ）を用いてまとめて結合され、時間領域ＯＦＤＭシンボルストリームを搬送する物理チャネルが生成される。ＯＦＤＭストリームは、複数の空間ストリームを生成するために空間的にプリコーディングされる。チャネル推定器５７４からのチャネル推定値は、コーディング及び変調方式を決定するために、及び空間的処理のために使用することができる。チャネル推定値は、ＵＥ５５０によって送信された基準信号及び／又はチャネル状態フィードバックから導き出すことができる。各空間ストリームは、別個の送信機５１８ＴＸを介して異なるアンテナ５２０に提供される。各送信機５１８ＴＸは、送信のために各々の空間ストリームとともにＲＦ搬送波を変調する。
【００３４】
［００４５］ＵＥ５５０において、各受信機５５４ＲＸは、各々のアンテナ５５２を通じて信号を受信する。他の態様においては、ＵＥ５５０は、ＵＥ５５０がｅＮＢ５１０と通信する方法と同様の方法でその他のＵＥと通信することができる。各受信機５５４ＲＸは、ＲＦ搬送波上に変調された情報を復元し、その情報を受信（ＲＸ）プロセッサ５５６に提供する。ＲＸプロセッサ５５６は、Ｌ１層の様々な信号処理機能を実装する。ＲＸプロセッサ５５６は、ＵＥ５５０に向けられた空間ストリームを復元するために情報に関する空間的処理を行う。複数の空間ストリームがＵＥ５５０向けである場合は、それらは、ＲＸプロセッサ５５６によって単一のＯＦＤＭシンボルストリームに結合することができる。次に、ＲＸプロセッサ５５６は、高速フーリエ変換（ＦＦＴ）を用いてＯＦＤＭシンボルストリームを時間領域から周波数領域に変換する。周波数領域信号は、ＯＦＤＭ信号の各副搬送波に関して別々のＯＦＤＭシンボルストリームを備える。各副搬送波のシンボル、及び基準信号は、ｅＮＢ６１０によって送信された最も可能性が高い信号点配置点を決定することによって復元及び復調される。これらのソフト決定は、チャネル推定器５５８によって計算されたチャネル推定値に基づくことができる。ソフト決定が復号及びデインターリービングされて、ｅＮＢ６１０によって物理チャネルで最初に送信されたデータ及び制御信号が復元される。次に、データ及び制御信号は、コントローラ／プロセッサ５５９に提供される。
【００３５】
［００４６］コントローラ／プロセッサ５５９は、Ｌ２層を実装する。コントローラ／プロセッサは、プログラムコード及びデータを格納するメモリ５６０と関連させることができる。メモリ５６０は、コンピュータによって読み取り可能な媒体と呼ぶことができる。ＵＬでは、コントローラ／プロセッサ５５９は、トランスポートチャネルと論理チャネルとの間での多重化解除、パケットリアセンブリ、復号、ヘッダ圧縮解除、コアネットワークから上層パケットを復元するための制御信号処理を提供する。次に、上層パケットがデータシンク５６２に提供され、それは、Ｌ２層よりも上方のすべてのプロトコル層を表す。Ｌ３処理のために様々な制御信号をデータシンク５６２に提供することもできる。コントローラ／プロセッサ５５９は、ＨＡＲＱ動作をサポートするための肯定応答（ＡＣＫ）及び／又は否定応答（ＮＡＣＫ）プロトコルを用いた誤り検出も担当する。
【００３６】
［００４７］ＵＬでは、上層パケットをコントローラ／プロセッサ５５９に提供するためにデータソース５６７が使用される。データソース５６７は、Ｌ２層の上方のすべてのプロトコル層を代表する。ｅＮＢ５１０によるＤＬ送信と関係させて説明される機能と同様に、コントローラ／プロセッサ５５９は、ｅＮＢ５１０による無線リソース割り当てに基づいて論理チャネルとトランスポートチャネルとの間でヘッダ圧縮、符号化、パケットのセグメンテーションと順序再設定、及び多重化を提供することによってユーザプレーン及び制御プレーンに関するＬ２層を実装する。コントローラ／プロセッサ５５９は、ＨＡＲＱ動作、失われたパケットの再送信、及びｅＮＢ６１０へのシグナリングも担当する。
【００３７】
［００４８］ｅＮＢ５１０によって送信された基準信号又はフィードバックからチャネル推定器６５８によって導き出されたチャネル推定値は、該当するコーディング及び変調方式を選択するために、及び空間処理を容易にするためにＴＸプロセッサ５６８によって使用することができる。ＴＸプロセッサ５６８によって生成された空間ストリームは、別々の送信機５５４ＴＸを介して異なるアンテナ５５２に提供される。各送信機５５４ＴＸは、送信のために各々の空間ストリームとともにＲＦ搬送波を変調する。
【００３８】
［００４９］ＵＬ送信は、ＵＥ５５０における受信機機能と関係させて説明される方法と同様のそれでｅＮＢ５１０において処理される。各受信機５１８ＲＸは、それの各々のアンテナ５２０を通じて信号を受信する。各受信機５１８ＲＸは、ＲＦ搬送波上に変調された情報を復元し、その情報をＲＸプロセッサ５７０に提供する。ＲＸプロセッサ５７０は、Ｌ１層を実装することができる。
【００３９】
［００５０］コントローラ／プロセッサ５７５は、Ｌ２層を実装する。コントローラ／プロセッサ５７５は、プログラムコード及びデータを格納するメモリ５７６と関連させることができる。メモリ５７６は、コンピュータによって読み取り可能な媒体と呼ぶことができる。ＵＬでは、コントローラ／プロセッサ５７５は、ＵＥ５５０から上層パケットを復元するためにトランスポートチャネルと論理チャネルとの間での多重化解除、パケットリアセンブリ、復号、ヘッダ圧縮、制御信号処理を提供する。コントローラ／プロセッサ５７５からの上層パケットは、コアネットワークに提供することができる。コントローラ／プロセッサ５７５は、ＨＡＲＱ動作をサポートするためのＡＣＫ及び／又はＮＡＣＫプロトコルを用いた誤り検出も担当する。
【００４０】
［００５１］図６は、デバイス・ツー・デバイス通信システム６００の図である。デバイス・ツー・デバイス通信システム６００は、複数の無線デバイス６０４、６０６、６０８、６１０を含む。デバイス・ツー・デバイス通信システム６００は、セルラー通信システム、例えば、無線ワイドエリアネットワーク（ＷＷＡＮ）、と重なり合うことができる。無線デバイス６０４、６０６、６０８、６１０の一部は、ＤＬ／ＵＬ  ＷＷＡＮスペクトルを用いてデバイス・ツー・デバイス通信でいっしょに通信することができ、一部は基地局６０２と通信することができ、一部は両方を行うことができる。例えば、図６において示されるように、無線デバイス６０８、６１０は、デバイス・ツー・デバイス通信状態であり、無線デバイス６０４、６０６は、デバイス・ツー・デバイス通信状態である。無線デバイス０４、６０６は基地局６０２とも通信中である。
【００４１】
［００５２］無線デバイスは、代替として、当業者によって、ユーザ装置（ＵＥ）、移動局、加入者局、モバイルユニット、加入者ユニット、無線ユニット、無線ノード、リモートユニット、モバイルデバイス、無線通信デバイス、遠隔デバイス、モバイル加入者局、アクセス端末、モバイル端末、無線端末、遠隔端末、ハンドセット、ユーザエージェント、モバイルクライアント、クライアントと呼ばれること又は何らかのその他の適切な用語で呼ばれることがある。基地局は、代替として、当業者によって、アクセスポイント、ベーストランシーバ局、無線基地局、無線トランシーバ、トランシーバ機能、ベーシックサービスセット（ＢＳＳ）、拡張サービスセット（ＥＳＳ）、ノードＢ、エボルブドノードＢと呼ばれること又は何らかのその他の適切な用語で呼ばれることがある。
【００４２】
［００５３］以下において論じられる典型的な方法及び装置は、様々な無線デバイス・ツー・デバイス通信システム、例えば、ＩＥＥＥ８０２．１１規格に基づくＦｌａｓｈＬｉｎＱ、ＷｉＭｅｄｉａ、Ｂｌｕｅｔｏｏｔｈ（登録商標）、ＺｉｇＢｅｅ、又はＷｉ−Ｆｉに基づいた無線デバイス・ツー・デバイス通信システム、のうちのいずれにも適用可能である。説明を簡略化するために、典型的な方法及び装置は、ＬＴＥに関して説明される。しかしながら、典型的な方法及び装置は、様々なその他の無線デバイス・ツー・デバイス通信システムに対してより一般的に適用することができることを当業者は理解するであろう。
【００４３】
［００５４］図７は、デバイス・ツー・デバイス通信をサポートするように構成される通信システム７００の図である。一態様においては、通信システム７００は、ＩＥＥＥ８０２．１１ｐに基づく通信をさらにサポートすることができる。例えば、デバイス７０２（例えば、車両）は、位置、速度、等の情報を含む基本的安全性メッセージ７２４（ＢＳＭ）を通信するために専用短距離通信（ＤＳＲＣ）波システムを使用することができる。該通信は、デバイス７０２がその他の車と通信することを可能にし、それによって、近隣トラフィックがそれらの位置を追跡すること、衝突を回避すること、トラフィックフローを向上させること、等を可能にする。さらに、通信システム７００において使用することができる通信プロトコルは、（ユーザ装置（ＵＥ）を有する）歩行者がこのスペクトルを利用すること及び存在、等の情報を周囲の車両に示すことができるＢＳＭを定期的に送信することを妨げない。幾つかのシナリオ、例えば、交通の激しい横断歩道、では、歩行者のユーザ（例えば、ＵＥ７０４乃至７１４）の密度が非常に高くなることがあり、従って、各歩行者がＢＳＭを送信した結果、車両７０２が非常に多くの類似するメッセージを受信することがある。これは、車両のユーザ７０２にとって気を散らす可能性があり、及び／又は、通信システム７００を混雑させるおそれもある。さらに、それらの送信は、歩行者のデバイス（例えば、ＵＥ７０４乃至７１４）のバッテリに有意な負担をかけることもある。
【００４４】
［００５５］一態様においては、複数のＵＥ（例えば、ＵＥ７０４乃至７１２）がＵＥ７２０のグループを形成することができる。該態様においては、ＵＥ７２０のグループのＵＥ７０４は、ＵＥのグループのためにグループ属性情報７２２を通信するために選択することができる。一態様においては、その他のＵＥがスレショルドの距離内に存在しておりさらにＵＥ７２０のグループを形成するために利用可能であることを決定するためにＵＥ（例えば、カメラ、マイクＧＰＳ、等）に関連する１つ以上のセンサを使用することができる。一態様においては、属性情報は、（例えば、結合されたＧＰＳ測定値に基づいた）ＵＥのグループに関する位置情報、ＵＥのグループに関する速度情報、ＵＥのグループに関するサイズ情報、道路を横断する意図であることの表示、ＵＥのグループ内の１つ以上のＵＥに関連する状態（例えば、ユーザに関する身体障害指定、ユーザとともに子供が存在する、等）を含むことができ、ただしこれらに限定されない。一態様においては、ＵＥ７２０のグループは、スレショルドの数よりも多いＵＥが互いに接近して存在する（例えば、５つのＵＥ）場合に形成することができる。
【００４５】
［００５６］一態様においては、ＵＥ７２０のグループは、無線ネットワークを混雑させないような形でグループ内で通信することができる。該態様においては、ＵＥ（例えば、ＵＥ７０４乃至７１２）は、ＵＥ７２０のグループ内で通信するためにより低い送信電力を使用することができる。他の態様においては、ＵＥ（例えば、ＵＥ７０４乃至７１２）は、ＵＥ７２０のグループ内で通信するために異なるアクセス技術（例えば、ＬＴＥに基づくデバイス・ツー・デバイス通信、Ｂｌｕｅｔｏｏｔｈに基づく通信、等）を使用することができる。
【００４６】
［００５７］一態様においては、ＵＥ７２０のグループは、幾つかの要因、例えば、残りのバッテリレベル、ＵＥのグループへの加入時間、１つ以上のＵＥ送信能力、等、に基づいてリーダーＵＥ７０４を選択することができ、ただしそれらの要因に限定されない。他の態様においては、リーダーＵＥ７０４は、ランダムに選択することができる。
【００４７】
［００５８］さらに、ＵＥ（例えば、ＵＥ７１４）は、ＵＥ７２０のグループから出ること又はＵＥ７２０のグループに入ることができる。該態様においては、ＵＥ７１４は、グループ加入メッセージ７２６を送信することができ、及び、グループ内への受け入れを示す確認を受信することができる。該態様においては、ＵＥ７１４は、リーダーＵＥ７０４によって統合して通信すべき属性情報を通信することができる。
【００４８】
［００５９］図８は、複数のＵＥ（８０２、８０４）と１つ以上のその他のデバイス８０６（例えば、車両）とを含む通信システム例８００における呼流れ図である。一態様においては、複数のＵＥ（８０２、８０４）は、メンバーであるＵＥ８０２と少なくとも１つのリーダーＵＥとを含むＵＥのグループの一部であることができる。
【００４９】
［００６０］１つの任意選択の態様では、動作８０８において、ＵＥ８０２は、ＵＥ（８０２、８０４）のグループ、例えば、いっしょに歩いている歩行者、ただしこれに限定されない、におけるメンバーであることを確認するための１つ以上のメッセージをやり取りすることができる。
【００５０】
［００６１］他の任意選択の態様では、動作８１０において、ＵＥ（８０２、８０４）のグループは、ＵＥ（８０２、８０４）のグループのリーダーＵＥ８０４を決定するのに役立つＵＥ情報を通信することができる。一態様においては、その他のＵＥがスレショルドの距離内に存在しておりさらにグループを形成するために利用可能であることを決定するためにＵＥ（例えば、カメラ、マイクＧＰＳ、等）に関連する１つ以上のセンサを使用することができる。
【００５１】
［００６２］該任意選択の態様では、動作８１２、８１４において、ＵＥは、いずれのＵＥがメンバーとしてのＵＥ８０２であり、いずれの１つ以上のＵＥがリーダーＵＥ８０４であるかを決定することができる。一態様においては、リーダーＵＥは、ランダムに選択することができる。一態様においては、ＵＥ情報は、残りのバッテリレベル、ＵＥのグループへの加入時間、１つ以上のＵＥ送信能力、等の情報を含むことができ、ただし、それらの情報に限定されない。ＵＥ情報が残りのバッテリレベルを含む態様においては、残りのバッテリ寿命が最も長いＵＥをリーダーＵＥ８０４として選択することができる。ＵＥ情報がＵＥのグループへの加入時間を含む一態様においては、最も長い時間グループ内に存在しているＵＥをリーダーＵＥとして選択することができる。ＵＥ情報がＵＥのグループへの加入時間を含む一態様においては、最も短い時間グループ内に存在しているＵＥをリーダーＵＥ８０４として選択することができる。一態様においては、リーダーの決定は、グループのメンバー構成の変化（例えば、グループサイズがスレショルド量だけ低減／増大する）に基づき、イベントの発生（交差点への到着、等）に基づいて、１つ以上のユーザ要求に応答して定期的に行うことができる。
【００５２】
［００６３］他の任意選択の態様では、動作８１６において、１つ以上のメンバーであるＵＥ８０２の各々は、属性情報（例えば、ＵＥ位置、速度、特殊な状態（身体障害、等））を入手することができる。
【００５３】
［００６４］動作８１８において、メンバーであるＵＥ８０２は、属性情報をリーダーＵＥ８０４に送信することができる。一態様においては、メンバーであるＵＥ８０２は、ＵＥ（８０２、８０４）の小さいグループ内で聞こえるような低い電力で送信することができる。
【００５４】
［００６５］動作８２０において、リーダーＵＥ８０４は、受信された属性情報に基づいてグループ属性情報を生成することができる。一態様においては、グループ属性情報は、（例えば、結合されたＧＰＳ測定値に基づいた）ＵＥのグループに関する位置情報、ＵＥのグループに関する速度情報、ＵＥのグループに関するサイズ情報、道路を横断する意図であることの表示、ＵＥのグループ内の１つ以上のＵＥに関連する状態（例えば、身体障害、子供、等）を含むことができ、ただしこれらに限定されない。
【００５５】
［００６６］動作８２２において、リーダーＵＥ８０４は、１つ以上のその他のデバイス８０６（例えば、車両）によってアクセスされるグループ属性情報をブロードキャストすることができる。一態様においては、そのブロードキャストは、８０２．１１ｐに基づくＤＳＲＣプロトコルを使用することができる。
【００５６】
［００６７］１つの任意選択の態様では、動作８２４において、メンバーであるＵＥ８０２は、属性情報を入手することに関連するモジュールのデューティサイクルを低下させることができる。
【００５７】
［００６８］他の任意選択の態様では、動作８２６において、その他のデバイス８０６のうちの１つ以上は、リーダーＵＥ８０４によって受信される基本的安全性メッセージ（ＢＳＭ）を送信することができる。該任意選択の態様においては、リーダーＵＥ８０４は、メッセージダイジェストの形でメンバーであるＵＥ８０２と１つ以上のＢＳＭを共有することができる。
【００５８】
［００６９］従って、リーダーＵＥ８０４がメンバーであるＵＥ８０２のために安全性メッセージを送信するのを可能にするためのシステム及び方法が描かれる。
【００５９】
［００７０］図９は、第１の無線通信方法のフローチャート９００である。その方法は、ＵＥ（例えば、ＵＥ７０４乃至ＵＥ７１４）によって実行することができる。さらに、フローチャート９００において描かれるブロック内で説明される機能は、図１１において描かれる装置例１１０２内の関連する様々なモジュール（１１０４、１１０６、１１１０、１１１２）によって実行することができる。
【００６０】
［００７１］１つの任意選択の態様では、ブロック９０２において、ＵＥは、それがＵＥのグループのリーダーであると決定することができる。一態様においては、リーダーの決定は、グループリーダーシップ決定モジュール１１０６によって行うことができる。該態様においては、決定１１２２は、その他のＵＥ（例えば、ＵＥ７０６乃至７１２）から受信モジュール１１０４を介して受信された情報１１２０に基づくことができる。一態様においては、ＵＥは、ＵＥのグループ内の各々のＵＥからＵＥ情報を受信し、そのＵＥ情報に基づいてそのＵＥがＵＥのグループのリーダーであると決定することによってリーダーとして決定することができる。該態様においては、ＵＥ情報は、ＵＥの残りのバッテリ寿命を含むことができ、リーダーの決定１１２２は、ＵＥのその残りのバッテリ寿命に基づくことができる。他の態様においては、ＵＥのリーダーの決定１１２２は、ランダムプロセスを通じて行うことができる。さらに、決定１１２２は、ＵＥ属性情報モジュール１１０８及び／又はグループ属性情報生成モジュール１１１０に示すことができる。
【００６１】
［００７２］１つの任意選択の態様では、ブロック９０４において、ＵＥは、新しいＵＥをＵＥのグループに加入させる。該態様においては、ＵＥは、新しいＵＥからグループ加入メッセージを受信し、新しいＵＥを加えることができる。さらに、ＵＥは、確認メッセージを新しいＵＥに送信することができる。一態様においては、受信モジュール１１０４、及びグループリーダーシップ決定モジュール１１０６は、加入要求１１３０を受信した時点で新しいＵＥ７１４の加入を認めることができる。さらに、グループリーダーシップモジュールは、ＵＥのグループへの加入が受け入れられていることを示す確認を、送信モジュール１１１２を介して新しいＵＥ７１４に提供することができる。
【００６２】
［００７３］ブロック９０６において、ＵＥは、ＵＥのグループ内のＵＥから属性情報を受信することができる。一態様においては、属性情報１１２０は、受信モジュール１１０４を介して、ＵＥ７２０のグループ内のＵＥ（７０６乃至７１２）から受信することができ、例えば、低送信電力、異なるアクセス技術の使用、等である。
【００６３】
［００７４］ブロック９０８において、ＵＥは、ＵＥのグループに関するグループ属性情報を生成することができる。一態様においては、属性情報１１２０は、グループ属性情報１１２６を形成するためにＵＥ属性情報モジュール１１０８からのＵＥ属性情報モジュール１１２４と統合するために属性情報１１２０をグループ属性情報生成モジュール１１１０に提供することができる。一態様においては、グループ属性情報は、ＵＥのグループに関する位置情報、ＵＥのグループに関する速度情報、ＵＥのグループに関するサイズ情報、道路を横断する意図であることの表示、ＵＥのグループ内の１つ以上のＵＥに関連する状態、等を含むことができる。
【００６４】
［００７５］ブロック９１０において、ＵＥは、ＵＥのグループのためにグループ属性情報をブロードキャストすることができる。一態様においては、グループ属性情報生成モジュール１１１０は、１つ以上のその他のデバイス（例えば、車両７０２）にブロードキャストするためのグループ属性情報１１２６を提供することができる。
【００６５】
［００７６］１つの任意選択の態様では、ブロック９１２において、ＵＥは、１つ以上のその他のデバイスから１つ以上のメッセージを受信することができる。該態様においては、受信モジュール１１０４は、デバイス７０２から１つ以上のメッセージ１１２８を受信することができる。
【００６６】
［００７７］該任意選択の態様では、ブロック９１４において、ＵＥは、受信されたメッセージに基づいてＵＥのグループにメッセージを送信することができる。該態様においては、装置１１０２は、受信されたメッセージ１１２８を送信するために送信モジュール１１１２を使用することができる。さらに、メッセージは、メッセージダイジェストの形でグループ（例えば、ＵＥ７０６乃至７１２）内のＵＥに送信することができる。
【００６７】
［００７８］図１０は、第２の無線通信方法のフローチャート１０００である。その方法は、ＵＥ（例えば、ＵＥ７０４乃至ＵＥ７１４）によって実行することができる。さらに、フローチャート９００において描かれるブロック内で説明される機能は、図１１において描かれる装置例１１０２内の関連する様々なモジュール（１１０４、１１０６、１１１０、１１１２）によって実行することができる。
【００６８】
［００７９］１つの任意選択の態様では、ブロック１００２において、ＵＥは、ＵＥのグループに加入することができる。ここにおいて使用される場合、ＵＥのグループは、１つ以上のその他のＵＥとのそのＵＥの通信から形成することができる。換言すると、ＵＥのグループは、ＵＥが加入した後は２つという少ない数のＵＥを含むことができる。一態様においては、ＵＥのグループに加入するために、ＵＥは、ＵＥのグループの１つ以上のＵＥにグループ加入メッセージを送信することができ、及び、ＵＥのグループ内への加入を示す確認メッセージを受信することができる。該態様においては、送信は、送信モジュール１１１２によって行うことができ、受信は、受信モジュール１１０４によって行うことができる。
【００６９】
［００８０］１つの任意選択の態様では、ブロック１００４において、ＵＥは、ＵＥのグループのリーダーでないと決定することができる。一態様においては、決定１１２２は、グループリーダーシップ決定モジュール１１０６によって行うことができる。一態様においては、グループリーダーシップ決定モジュール１１０６は、ＵＥのグループの１つ以上のＵＥからその他のＵＥ情報１１２０を受信すること及びＵＥ自体の情報１１２４及び受信されたその他のＵＥ情報１１２０の解析に基づいてＵＥのグループのリーダーでないと決定することができる。一態様においては、ＵＥ情報は、残りのバッテリ寿命、グループ内への加入時間、送信能力、等の情報を含むことができ、ただしそれらの情報に限定されない。
【００７０】
［００８１］１つの任意選択の態様では、ブロック１００６において、ＵＥは、ＵＥに関連する１つ以上のモジュールから属性情報を入手することができる。一態様においては、ＵＥ属性情報モジュール１１０８は、情報１１２４を入手することができる。さらに、ＵＥは、情報を入手するために使用されたモジュールにそれらのデューティサイクルを低下させるように促すことができる。該デューティサイクルの低下は、ＵＥバッテリ電力を節約することができる。
【００７１】
［００８２］ブロック１００８において、ＵＥは、ＵＥのグループのリーダーＵＥに属性情報を送信することができる。一態様においては、ＵＥ属性情報モジュール１１０８は、送信を目的として送信モジュール１１１２にＵＥ属性情報１１２４を提供することができる。一態様においては、送信は、低い送信電力、異なるアクセス技術の使用、等によって行うことができる。
【００７２】
［００８３］ブロック１０１０において、ＵＥは、ＵＥのグループ外で属性情報の少なくとも一部分をブロードキャストするのを禁止することができる。一態様においては、リーダーシップの決定１１２２の一部として、グループリーダーシップ決定モジュール１１０６は、ＵＥのグループ外にＵＥ属性情報１１２４をブロードキャストしないようにＵＥに促すことができる。
【００７３】
［００８４］１つの任意選択の態様では、ブロック１０１２において、ＵＥは、１つ以上のその他のデバイス（例えば、デバイス７０２）からの１つ以上の基本的安全性メッセージを含むメッセージをＵＥのグループのリーダーＵＥから受信することができる。一態様においては、メッセージは、受信モジュール１１０４を用いて受信することができる。一態様においては、メッセージは、メッセージダイジェストの形であることができる。
【００７４】
［００８５］図１１は、装置例１１０２内の複数の異なるモジュール／手段／コンポーネント間でのデータの流れを例示した概念的データ流れ図１１００である。装置は、ＵＥ（例えば、ＵＥ７０４、ＵＥ７０６、ＵＥ７０８、ＵＥ７１０、ＵＥ７１２、ＵＥ７１４）であることができる。図９及び１０を参照して説明されるように、装置１１０２は、受信モジュール１１０４と、グループリーダーシップ決定モジュール１１０６と、ＵＥ属性情報モジュール１１０８と、グループ属性情報生成モジュール１１１０と、送信モジュール１１１２と、を含む。
【００７５】
［００８６］装置は、図８の上記の呼流れ図及び図９及び１０のフローチャート内のアルゴリズムの各ステップを実行する追加のモジュールを含むことができる。従って、上記の呼流れ図及び図８、９及び１０のフローチャート内の各動作／ブロックは、モジュールによって実行することができ、及び、装置は、それらのモジュールのうちの１つ以上を含むことができる。それらのモジュールは、記載されたプロセス／アルゴリズムを実行するように特に構成された１つ以上のハードウェアコンポーネント、記載されたプロセス／アルゴリズムを実行するように構成されたプロセッサによって実装された１つ以上のハードウェアコンポーネント、プロセッサによる実装のためにコンピュータによって読み取り可能な媒体内に格納された１つ以上のハードウェアコンポーネント、又はそれらの組み合わせであることができる。
【００７６】
［００８７］図１２は、処理システム１２１４を採用する装置１１０２’に関するハードウェア実装例を示した図１２００である。処理システム１２１４は、概してバス１２２４によって代表されるバスアーキテクチャによって実装することができる。バス１２２４は、処理システム１２１４の特定の用途及び全体的な設計上の制約事項に依存してあらゆる数の相互接続バス及びブリッジを含むことができる。バス１２２４は、プロセッサ１２０４、モジュール１１０４、１１０６、１１０８、１１１０、１１１２、及びコンピュータによって読み取り可能な媒体１２０６によって代表される、１つ以上のプロセッサ及び／又はハードウェアモジュールを含む様々な回路をひとつにリンクする。バス１２２４は、様々なその他の回路、例えば、タイミングソース、周辺装置、電圧調整器、電力管理回路、等もリンクすることができ、それらは当業においてよく知られており、従って、これ以上は説明されない。
【００７７】
［００８８］処理システム１２１４は、トランシーバ１２１０に結合することができる。トランシーバ１２１０は、１本以上のアンテナ１２２０に結合される。トランシーバ１２１０は、送信媒体を通じて様々なその他の装置と通信するための手段を提供する。処理システム１２１４は、コンピュータによって読み取り可能な媒体１２０６に結合されたプロセッサ１２０４を含む。プロセッサ１２０４は、一般的処理を担当し、コンピュータによって読み取り可能な媒体１２０６に格納されたソフトウェアの実行を含む。ソフトウェアは、プロセッサ１２０４によって実行されたときに、特定の装置に関して上述される様々な機能を実行することを処理システム１２１４に行わせる。コンピュータによって読み取り可能な媒体１２０６は、ソフトウェアを実行するときにプロセッサ１２０４によって取り扱われるデータを格納するためにも使用することができる。処理システムは、モジュール１１０４、１１０６、１１０８、１１１０、及び１１１２のうちの少なくとも１つをさらに含む。それらのモジュールは、プロセッサ１２０４で走るソフトウェアモジュール、コンピュータによって読み取り可能な媒体１２０６に常駐する／格納されたソフトウェアモジュール、プロセッサ１２０４に結合されたハードウェアモジュール、又はそれらの組み合わせであることができる。処理システム１２１４は、ＵＥ５５０のコンポーネントであることができ及びメモリ５６０及び／又はＴＸプロセッサ５６８、ＲＸプロセッサ５５６、及びコントローラ／プロセッサ５５９のうちの１つ以上を含むことができる。
【００７８】
［００８９］一構成においては、無線通信のための装置１１０２／１１０２’は、ユーザ装置（ＵＥ）のグループ内の１つ以上のＵＥからの属性情報をＵＥによって受信するための手段と、受信された属性情報に基づいてグループ属性情報を生成するための手段と、ＵＥのグループのためにグループ属性情報をブロードキャストするための手段と、を含む。一態様においては、ＵＥは、ＵＥのグループのメンバー及びリーダーであることができる。一態様においては、装置１１０２／１１０２’の受信するための手段は、ＵＥのグループ内の各ＵＥからＵＥ情報を受信するようにさらに構成することができる。該態様においては、装置１１０２／１１０２’は、ＵＥ情報に基づいてＵＥがＵＥのグループのリーダーであると決定するための手段を含むことができる。一態様においては、装置１１０２／１１０２’の受信するための手段は、新しいＵＥからグループ加入メッセージを受信するようにさらに構成することができる。該態様においては、装置１１０２／１１０２’は、ＵＥのグループに新しいＵＥを加えるための手段を含むことができる。一態様においては、装置１１０２／１１０２’の受信するための手段は、１つ以上のその他のデバイスから１つ以上のメッセージを受信するようにさらに構成することができ、及び、ブロードキャストするための手段は、メッセージダイジェストの形で１つ以上の基本的安全性メッセージを含むメッセージをＵＥのグループに送信するようにさらに構成することができる。
【００７９】
［００９０］他の構成においては、無線通信のための装置１１０２／１１０２’は、ＵＥによって、ＵＥのグループのリーダーＵＥに属性情報を送信するための手段と、ＵＥのグループ外で属性情報の少なくとも一部分をブロードキャストするのを禁止するための手段と、を含む。一態様においては、ＵＥは、ＵＥのグループのメンバーであることができる。一態様においては、装置１１０２／１１０２’は、ＵＥに関連する１つ以上のモジュールから属性情報を入手するための手段と、属性情報の送信時点で１つ以上のモジュールに関するデューティサイクルを低下させるための手段と、をさらに含むことができる。一態様においては、装置１１０２／１１０２’の送信するための手段は、ＵＥのグループの１つ以上のＵＥにグループ加入メッセージを送信するようにさらに構成することができる。該態様においては、装置１１０２／１１０２’は、ＵＥのグループ内への加入を示す確認メッセージを受信するための手段を含むことができる。一態様においては、装置１１０２／１１０２’の送信するための手段は、ＵＥのグループにＵＥ情報をブロードキャストするようにさらに構成することができる。該態様においては、装置１００２／１００２は、ＵＥのグループの１つ以上のＵＥからＵＥ情報を受信するための手段と、ＵＥ情報及び受信されたＵＥ情報の解析に基づいてＵＥがＵＥのグループの新しいリーダーでないと決定するための手段と、を含むことができる。一態様においては、装置１１０２／１１０２’は、１つ以上のその他のデバイスからの１つ以上の基本的安全性メッセージを含むメッセージをＵＥのグループのリーダーＵＥから受信するための手段をさらに含むことができる。
【００８０】
［００９１］上記の手段は、装置１１０２の上記のモジュールのうちの１つ以上及び／又は上記の手段によって示される機能を実行するように構成された装置１１０２’の処理システム１２１４であることができる。上述されるように、処理システム１２１４は、ＴＸプロセッサ５６８と、ＲＸプロセッサ５５６と、コントローラ／プロセッサ５５９と、を含むことができる。従って、一構成においては、上記の手段は、上記の手段によって示される機能を実行するように構成されたＴＸプロセッサ５６８、ＲＸプロセッサ５５６、及びコントローラ／プロセッサ５５９であることができる。
【００８１】
［００９２］開示されるプロセスにおけるステップの特定の順序又は階層は、典型的なアプローチ法の１つの例示であることが理解される。設計上の選好に基づき、プロセスにおけるステップの特定の順序又は階層は、再編することができることが理解される。さらに、幾つかのステップは、結合すること又は省くことができる。添付された方法請求項は、様々なステップの要素を見本の順序で提示するものであり、提示された特定の順序又は階層に限定されることは意味されない。
【００８２】
［００９３］前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、ここにおいて、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。当業者にとって既知であるか又は今後に知られることになる、本開示全体を通じて説明される様々な態様の要素のすべての構造上及び機能上の同等物は、引用によって明示でここにおいて組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“のための手段”を用いて明示されない限り手段プラス機能（ｍｅａｎｓ−ｐｌｕｓ−ｆｕｎｃｔｉｏｎ）であるとは解釈されるべきでない。
【図１】
2016523029.tif 000003
【図２】
2016523029.tif 000004
【図３】
2016523029.tif 000005
【図４】
2016523029.tif 000006
【図５】
2016523029.tif 000007
【図６】
2016523029.tif 000008
【図７】
2016523029.tif 000009
【図８】
2016523029.tif 000010
【図９】
2016523029.tif 000011
【図１０】
2016523029.tif 000012
【図１１】
2016523029.tif 000013
【図１２】
2016523029.tif 000014
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
無線通信方法であって、
ユーザ装置（ＵＥ）によって、ＵＥのグループ内の１つ以上のＵＥから属性情報を受信することであって、前記ＵＥは、ＵＥの前記グループのメンバーであり、前記ＵＥは、ＵＥの前記グループのリーダーであることと、
前記受信された属性情報に基づいてグループ属性情報を生成することと、
ＵＥの前記グループのために前記グループ属性情報をブロードキャストすることと、
ＵＥの前記グループの前記ブロードキャストされたグループ属性情報に基づいて１つ以上のその他のデバイスから１つ以上の基本的安全性メッセージを受信することと、を備える、無線通信方法。
【請求項２】
ＵＥの前記グループ内の前記ＵＥの各々からＵＥ情報を受信することと、
前記ＵＥ情報に基づいて前記ＵＥがＵＥの前記グループの前記リーダーであると決定することと、をさらに備える請求項１に記載の方法。
【請求項３】
前記ＵＥ情報は、残りのバッテリ寿命を備え、前記決定することは、前記ＵＥがＵＥの前記グループ内の前記ＵＥのうちのいずれよりも長い残りのバッテリ寿命を有すると決定することをさらに備える請求項２に記載の方法。
【請求項４】
前記ＵＥは、ランダムなプロセスを通じてＵＥの前記グループの前記リーダーとして選択される請求項１に記載の方法。
【請求項５】
新しいＵＥからグループ加入メッセージを受信することと、
ＵＥの前記グループに前記新しいＵＥを加えることと、をさらに備え、前記ＵＥは、前記新しいＵＥから属性情報も受信する請求項１に記載の方法。
【請求項６】
前記属性情報は、低い送信電力を有する前記１つ以上のＵＥから受信される請求項１に記載の方法。
【請求項７】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項１に記載の方法。
【請求項８】
前記１つ以上の基本的安全性メッセージを含むメッセージをメッセージダイジェストの形でＵＥの前記グループに送信すること、をさらに備える請求項１に記載の方法。
【請求項９】
無線通信方法であって、
ユーザ装置（ＵＥ）によって、ＵＥのグループのリーダーＵＥに属性情報を送信することであって、前記ＵＥは、ＵＥの前記グループのメンバーであることと、
ＵＥの前記グループ外で前記属性情報の少なくとも一部分をブロードキャストするのを禁止することと、
１つ以上のその他のデバイスからの１つ以上の基本的安全性メッセージを含むメッセージをＵＥの前記グループの前記リーダーＵＥから受信することであって、前記１つ以上の基本的安全性メッセージを含む前記メッセージは、ＵＥの前記グループに関連するグループ属性情報に基づいて受信されることと、を備える、無線通信方法。
【請求項１０】
前記属性情報は、低い送信電力を用いて前記リーダーＵＥに送信される請求項９に記載の方法。
【請求項１１】
前記ＵＥに関連する１つ以上のモジュールから前記属性情報を入手することと、
前記属性情報の送信時点で前記１つ以上のモジュールに関するデューティサイクルを低下させることと、をさらに備える請求項９に記載の方法。
【請求項１２】
ＵＥの前記グループの１つ以上のＵＥにグループ加入メッセージを送信することと、
ＵＥの前記グループへの加入を示す確認メッセージを受信することと、をさらに備える請求項９に記載の方法。
【請求項１３】
ＵＥの前記グループにＵＥ情報をブロードキャストすることと、
ＵＥの前記グループの１つ以上のＵＥからその他のＵＥ情報を受信することと、
前記ＵＥ情報及び前記受信されたその他のＵＥ情報の解析に基づいて前記ＵＥがＵＥの前記グループの新しいリーダーでないと決定することと、をさらに備える請求項９に記載の方法。
【請求項１４】
前記ＵＥ情報は、
残りのバッテリ電力値、又は
ＵＥの前記グループへの加入時間、のうちの少なくとも１つを備える請求項１３に記載の方法。
【請求項１５】
前記メッセージは、メッセージダイジェストの形である請求項９に記載の方法。
【請求項１６】
通信のための装置であって、前記装置は、ユーザ装置（ＵＥ）であり、
前記ＵＥによって、ＵＥのグループ内の１つ以上のＵＥから属性情報を受信するための手段であって、前記ＵＥは、ＵＥの前記グループのメンバーであり、及び、前記ＵＥは、ＵＥの前記グループのリーダーである手段と、
前記受信された属性情報に基づいてグループ属性情報を生成するための手段と、
ＵＥの前記グループのために前記グループ属性情報をブロードキャストするための手段と、
ＵＥの前記グループの前記ブロードキャストされたグループ属性情報に基づいて１つ以上のその他のデバイスから１つ以上の基本的安全性メッセージを受信するための手段と、を備える、通信のための装置。
【請求項１７】
ＵＥの前記グループ内の前記ＵＥの各々からＵＥ情報を受信するための手段と、
前記ＵＥ情報に基づいて前記ＵＥがＵＥの前記グループの前記リーダーであると決定するための手段と、をさらに備える請求項１６に記載の装置。
【請求項１８】
前記ＵＥ情報は、残りのバッテリ寿命を備え、決定するための前記手段は、前記ＵＥがＵＥの前記グループ内の前記ＵＥのうちのいずれよりも長い残りのバッテリ寿命を有すると決定するようにさらに構成される請求項１７に記載の装置。
【請求項１９】
前記ＵＥは、ランダムなプロセスを通じてＵＥの前記グループの前記リーダーとして選択される請求項１６に記載の装置。
【請求項２０】
新しいＵＥからグループ加入メッセージを受信するための手段と、
ＵＥの前記グループに前記新しいＵＥを加えるための手段と、をさらに備え、
属性情報を受信するための前記手段は、前記新しいＵＥから属性情報を受信するようにさらに構成される請求項１６に記載の装置。
【請求項２１】
前記属性情報は、低い送信電力を有する１つ以上のＵＥから受信される請求項１６に記載の装置。
【請求項２２】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項１６に記載の装置。
【請求項２３】
前記１つ以上の基本的安全性メッセージを含むメッセージをメッセージダイジェストの形でＵＥの前記グループに送信するための手段をさらに備える請求項１６に記載の装置。
【請求項２４】
無線通信のための装置であって、前記装置は、ユーザ装置（ＵＥ）であり、
前記ＵＥによって、ＵＥのグループのリーダーＵＥに属性情報を送信するための手段であって、前記ＵＥは、ＵＥの前記グループのメンバーである手段と、
ＵＥの前記グループ外で前記属性情報の少なくとも一部分をブロードキャストするのを禁止するための手段と、
１つ以上のその他のデバイスからの１つ以上の基本的安全性メッセージを含むメッセージをＵＥの前記グループの前記リーダーＵＥから受信するための手段であって、前記１つ以上の基本的安全性メッセージを含む前記メッセージは、ＵＥの前記グループに関連するグループ属性情報に基づいて受信される手段と、を備える、無線通信のための装置。
【請求項２５】
前記属性情報は、低い送信電力を用いて前記リーダーＵＥに送信される請求項２４に記載の装置。
【請求項２６】
前記ＵＥに関連する１つ以上のモジュールから前記属性情報を入手するための手段と、
前記属性情報の送信時点で前記１つ以上のモジュールに関するデューティサイクルを低下させるための手段と、をさらに備える請求項２４に記載の装置。
【請求項２７】
ＵＥの前記グループの１つ以上のＵＥにグループ加入メッセージを送信するための手段と、
ＵＥの前記グループへの加入を示す確認メッセージを受信するための手段と、をさらに備える請求項２４に記載の装置。
【請求項２８】
ＵＥの前記グループにＵＥ情報をブロードキャストするための手段と、
ＵＥの前記グループの１つ以上のＵＥからその他のＵＥ情報を受信するための手段と、
前記ＵＥ情報及び前記受信されたその他のＵＥ情報の解析に基づいて前記ＵＥがＵＥの前記グループの新しいリーダーでないと決定するための手段と、をさらに備える請求項２４に記載の装置。
【請求項２９】
前記ＵＥ情報は、
残りのバッテリ電力値、又は
ＵＥの前記グループへの加入時間、のうちの少なくとも１つを備える請求項２８に記載の装置。
【請求項３０】
前記メッセージは、メッセージダイジェストの形である請求項２４に記載の装置。
【請求項３１】
通信のための装置であって、前記装置は、ユーザ装置（ＵＥ）であり、
メモリと、
前記メモリに結合された少なくとも１つのプロセッサと、を備え、前記少なくとも１つのプロセッサは、
前記ＵＥによって、ＵＥのグループ内の１つ以上のＵＥから属性情報を受信するように構成され、ここにおいて、前記ＵＥは、ＵＥの前記グループのメンバーであり、及び、前記ＵＥは、ＵＥの前記グループのリーダーであり、
前記受信された属性情報に基づいてグループ属性情報を生成するように構成され、
ＵＥの前記グループのために前記グループ属性情報をブロードキャストするように構成され、及び
ＵＥの前記グループの前記ブロードキャストされたグループ属性情報に基づいて１つ以上のその他のデバイスから１つ以上の基本的安全性メッセージを受信するように構成される、通信のための装置。
【請求項３２】
前記少なくとも１つのプロセッサは、
ＵＥの前記グループ内の前記ＵＥの各々からＵＥ情報を受信し、及び
前記ＵＥ情報に基づいて前記ＵＥがＵＥの前記グループの前記リーダーであると決定するようにさらに構成される請求項３１に記載の装置。
【請求項３３】
前記ＵＥ情報は、残りのバッテリ寿命を備え、前記少なくとも１つのプロセッサは、前記ＵＥがＵＥの前記グループ内の前記ＵＥのうちのいずれよりも長い残りのバッテリ寿命を有すると決定するようにさらに構成される請求項３２に記載の装置。
【請求項３４】
前記ＵＥは、ランダムなプロセスを通じてＵＥの前記グループの前記リーダーとして選択される請求項３１に記載の装置。
【請求項３５】
前記少なくとも１つのプロセッサは、
新しいＵＥからグループ加入メッセージを受信し、
ＵＥの前記グループに前記新しいＵＥを加え、及び
前記新しいＵＥから属性情報を受信するようにさらに構成される請求項３１に記載の装置。
【請求項３６】
前記属性情報は、低い送信電力を有する１つ以上のＵＥから受信される請求項３１に記載の装置。
【請求項３７】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項３１に記載の装置。
【請求項３８】
前記少なくとも１つのプロセッサは、
前記１つ以上の基本的安全性メッセージを含むメッセージをメッセージダイジェストの形でＵＥの前記グループに送信するようにさらに構成される請求項３１に記載の装置。
【請求項３９】
通信のための装置であって、前記装置は、ユーザ装置（ＵＥ）であり、
メモリと、
前記メモリに結合された少なくとも１つのプロセッサと、を備え、前記少なくとも１つのプロセッサは、
前記ＵＥによって、ＵＥのグループのリーダーＵＥに属性情報を送信するように構成され、ここにおいて、前記ＵＥは、ＵＥの前記グループのメンバーであり、
ＵＥの前記グループ外で前記属性情報の少なくとも一部分をブロードキャストするのを禁止するように構成され、及び
１つ以上のその他のデバイスからの１つ以上の基本的安全性メッセージを含むメッセージをＵＥの前記グループの前記リーダーＵＥから受信するように構成され、ここにおいて、前記１つ以上の基本的安全性メッセージを含む前記メッセージは、ＵＥの前記グループに関連するグループ属性情報に基づいて受信される、無線通信のための装置。
【請求項４０】
前記属性情報は、低い送信電力を用いて前記リーダーＵＥに送信される請求項３９に記載の装置。
【請求項４１】
前記少なくとも１つのプロセッサは、
前記ＵＥに関連する１つ以上のモジュールから前記属性情報を入手し、及び
前記属性情報の送信時点で前記１つ以上のモジュールに関するデューティサイクルを低下させるようにさらに構成される請求項３９に記載の装置。
【請求項４２】
前記少なくとも１つのプロセッサは、
ＵＥの前記グループの１つ以上のＵＥにグループ加入メッセージを送信し、及び
ＵＥの前記グループへの加入を示す確認メッセージを受信するようにさらに構成される請求項３９に記載の装置。
【請求項４３】
前記少なくとも１つのプロセッサは、
ＵＥの前記グループにＵＥ情報をブロードキャストし、
ＵＥの前記グループの１つ以上のＵＥからその他のＵＥ情報を受信し、及び
前記ＵＥ情報及び前記受信されたその他のＵＥ情報の解析に基づいて前記ＵＥがＵＥの前記グループの新しいリーダーでないと決定するようにさらに構成される請求項３９に記載の装置。
【請求項４４】
前記ＵＥ情報は、
残りのバッテリ電力値、又は
ＵＥの前記グループへの加入時間、のうちの少なくとも１つを備える請求項４３に記載の装置。
【請求項４５】
前記メッセージは、メッセージダイジェストの形である請求項３９に記載の装置。
【請求項４６】
ユーザ装置（ＵＥ）に関連するコンピュータによって読み取り可能な媒体であって、無線通信のためのコンピュータによって実行可能なコードを記憶し、
前記ＵＥによって、ＵＥのグループ内の１つ以上のＵＥから属性情報を受信するためのコードであって、前記ＵＥは、ＵＥの前記グループのメンバーであり、及び、前記ＵＥは、ＵＥの前記グループのリーダーであるコードと、
前記受信された属性情報に基づいてグループ属性情報を生成するためのコードと、
ＵＥの前記グループのために前記グループ属性情報をブロードキャストするためのコードと、
ＵＥの前記グループの前記ブロードキャストされたグループ属性情報に基づいて１つ以上のその他のデバイスから１つ以上の基本的安全性メッセージを受信するためのコードと、を備える、コンピュータによって読み取り可能な媒体。
【請求項４７】
ＵＥの前記グループ内の前記ＵＥの各々からＵＥ情報を受信するためのコードと、
前記ＵＥ情報に基づいて前記ＵＥがＵＥの前記グループの前記リーダーであると決定するためのコードと、をさらに備える請求項４６に記載のコンピュータによって読み取り可能な媒体。
【請求項４８】
前記ＵＥ情報は、残りのバッテリ寿命を備え、前記ＵＥが前記リーダーであると決定するための前記コードは、前記ＵＥがＵＥの前記グループ内の前記ＵＥのうちのいずれよりも長い残りのバッテリ寿命を有すると決定するためのコードをさらに備える請求項４７に記載のコンピュータによって読み取り可能な媒体。
【請求項４９】
前記ＵＥは、ランダムなプロセスを通じてＵＥの前記グループの前記リーダーとして選択される請求項４６に記載のコンピュータによって読み取り可能な媒体。
【請求項５０】
新しいＵＥからグループ加入メッセージを受信するためのコードと、
ＵＥの前記グループに前記新しいＵＥを加えるためのコードと、
前記新しいＵＥから属性情報を受信するためのコードと、をさらに備える請求項４６に記載のコンピュータによって読み取り可能な媒体。
【請求項５１】
前記属性情報は、低い送信電力を有する前記１つ以上のＵＥから受信される請求項４６に記載のコンピュータによって読み取り可能な媒体。
【請求項５２】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項４６に記載のコンピュータによって読み取り可能な媒体。
【請求項５３】
１つ以上のその他のデバイスから１つ以上のメッセージを受信するためのコードと、
前記１つ以上の基本的安全性メッセージを含むメッセージをメッセージダイジェストの形でＵＥの前記グループに送信するためのコードと、をさらに備える請求項４６に記載のコンピュータによって読み取り可能な媒体。
【請求項５４】
ユーザ装置（ＵＥ）に関連するコンピュータによって読み取り可能な媒体であって、無線通信のためのコンピュータによって実行可能なコードを記憶し、
前記ＵＥによって、ＵＥのグループのリーダーＵＥに属性情報を送信するためのコードであって、前記ＵＥは、ＵＥの前記グループのメンバーであるコードと、
ＵＥの前記グループ外で前記属性情報の少なくとも一部分をブロードキャストするのを禁止するためのコードと、
１つ以上のその他のデバイスからの１つ以上の基本的安全性メッセージを含むメッセージをＵＥの前記グループの前記リーダーＵＥから受信するためのコードであって、前記１つ以上の基本的安全性メッセージを含む前記メッセージは、ＵＥの前記グループに関連するグループ属性情報に基づいて受信されるコードと、を備える、コンピュータによって読み取り可能な媒体。
【請求項５５】
前記属性情報は、低い送信電力を用いて前記リーダーＵＥに送信される請求項５４に記載のコンピュータによって読み取り可能な媒体。
【請求項５６】
前記ＵＥに関連する１つ以上のモジュールから前記属性情報を入手するためのコードと、
前記属性情報の送信時点で前記１つ以上のモジュールに関するデューティサイクルを低下させるためのコードと、をさらに備える請求項５４に記載のコンピュータによって読み取り可能な媒体。
【請求項５７】
ＵＥの前記グループの１つ以上のＵＥにグループ加入メッセージを送信するためのコードと、
ＵＥの前記グループへの加入を示す確認メッセージを受信するためのコードと、をさらに備える請求項５４に記載のコンピュータによって読み取り可能な媒体。
【請求項５８】
ＵＥの前記グループにＵＥ情報をブロードキャストするためのコードと、
ＵＥの前記グループの１つ以上のＵＥからその他のＵＥ情報を受信するためのコードと、
前記ＵＥ情報及び前記受信されたその他のＵＥ情報の解析に基づいて前記ＵＥがＵＥの前記グループの新しいリーダーでないと決定するためのコードと、をさらに備える請求項５４に記載のコンピュータによって読み取り可能な媒体。
【請求項５９】
前記ＵＥ情報は、
残りのバッテリ電力値、又は
ＵＥの前記グループへの加入時間、のうちの少なくとも１つを備える請求項５８に記載のコンピュータによって読み取り可能な媒体。
【請求項６０】
前記メッセージは、メッセージダイジェストの形である請求項５４に記載のコンピュータによって読み取り可能な媒体。
【手続補正２】
【補正対象書類名】明細書
【補正対象項目名】００８２
【補正方法】変更
【補正の内容】
【００８２】
［００９３］前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、ここにおいて、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。当業者にとって既知であるか又は今後に知られることになる、本開示全体を通じて説明される様々な態様の要素のすべての構造上及び機能上の同等物は、引用によって明示でここにおいて組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“のための手段”を用いて明示されない限り手段プラス機能（ｍｅａｎｓ−ｐｌｕｓ−ｆｕｎｃｔｉｏｎ）であるとは解釈されるべきでない。
以下に、出願当初の特許請求の範囲に記載された発明を付記する。
［Ｃ１］
無線通信方法であって、
ユーザ装置（ＵＥ）によって、ＵＥのグループ内の１つ以上のＵＥから属性情報を受信することであって、前記ＵＥは、ＵＥの前記グループのメンバーであり、前記ＵＥは、ＵＥの前記グループのリーダーであることと、
前記受信された属性情報に基づいてグループ属性情報を生成することと、
ＵＥの前記グループのために前記グループ属性情報をブロードキャストすることと、を備える、無線通信方法。
［Ｃ２］
ＵＥの前記グループ内の前記ＵＥの各々からＵＥ情報を受信することと、
前記ＵＥ情報に基づいて前記ＵＥがＵＥの前記グループの前記リーダーであると決定することと、をさらに備えるＣ１に記載の方法。
［Ｃ３］
前記ＵＥ情報は、残りのバッテリ寿命を備え、前記決定することは、前記ＵＥがＵＥの前記グループ内の前記ＵＥのうちのいずれよりも長い残りのバッテリ寿命を有すると決定することをさらに備えるＣ２に記載の方法。
［Ｃ４］
前記ＵＥは、ランダムなプロセスを通じてＵＥの前記グループの前記リーダーとして選択されるＣ１に記載の方法。
［Ｃ５］
新しいＵＥからグループ加入メッセージを受信することと、
ＵＥの前記グループに前記新しいＵＥを加えることと、をさらに備え、前記ＵＥは、前記新しいＵＥから属性情報も受信するＣ１に記載の方法。
［Ｃ６］
前記属性情報は、低い送信電力を有する前記１つ以上のＵＥから受信されるＣ１に記載の方法。
［Ｃ７］
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備えるＣ１に記載の方法。
［Ｃ８］
１つ以上のその他のデバイスから１つ以上のメッセージを受信することと、
前記１つ以上の基本的安全性メッセージを含むメッセージをメッセージダイジェストの形でＵＥの前記グループに送信することと、をさらに備えるＣ１に記載の方法。
［Ｃ９］
無線通信方法であって、
ユーザ装置（ＵＥ）によって、ＵＥのグループのリーダーＵＥに属性情報を送信することであって、前記ＵＥは、ＵＥの前記グループのメンバーであることと、
ＵＥの前記グループ外で前記属性情報の少なくとも一部分をブロードキャストするのを禁止することと、を備える、無線通信方法。
［Ｃ１０］
前記属性情報は、低い送信電力を用いて前記リーダーＵＥに送信されるＣ９に記載の方法。
［Ｃ１１］
前記ＵＥに関連する１つ以上のモジュールから前記属性情報を入手することと、
前記属性情報の送信時点で前記１つ以上のモジュールに関するデューティサイクルを低下させることと、をさらに備えるＣ９に記載の方法。
［Ｃ１２］
ＵＥの前記グループの１つ以上のＵＥにグループ加入メッセージを送信することと、
ＵＥの前記グループへの加入を示す確認メッセージを受信することと、をさらに備えるＣ９に記載の方法。
［Ｃ１３］
ＵＥの前記グループにＵＥ情報をブロードキャストすることと、
ＵＥの前記グループの１つ以上のＵＥからその他のＵＥ情報を受信することと、
前記ＵＥ情報及び前記受信されたその他のＵＥ情報の解析に基づいて前記ＵＥがＵＥの前記グループの新しいリーダーでないと決定することと、をさらに備えるＣ９に記載の方法。
［Ｃ１４］
前記ＵＥ情報は、
残りのバッテリ電力値、又は
ＵＥの前記グループへの加入時間、のうちの少なくとも１つを備えるＣ１３に記載の方法。
［Ｃ１５］
１つ以上のその他のデバイスからの１つ以上の基本的安全性メッセージを含むメッセージをＵＥの前記グループの前記リーダーＵＥから受信することであって、前記メッセージは、メッセージダイジェストの形であること、を備えるＣ９に記載の方法。
［Ｃ１６］
通信のための装置であって、
ユーザ装置（ＵＥ）によって、ＵＥのグループ内の１つ以上のＵＥから属性情報を受信するための手段であって、前記ＵＥは、ＵＥの前記グループのメンバーであり、及び、前記ＵＥは、ＵＥの前記グループのリーダーである手段と、
前記受信された属性情報に基づいてグループ属性情報を生成するための手段と、
ＵＥの前記グループのために前記グループ属性情報をブロードキャストするための手段と、を備える、通信のための装置。
［Ｃ１７］
受信するための前記手段は、
ＵＥの前記グループ内の前記ＵＥの各々からＵＥ情報を受信するようにさらに構成され、
前記ＵＥ情報に基づいて前記ＵＥがＵＥの前記グループの前記リーダーであると決定するための手段をさらに備えるＣ１６に記載の装置。
［Ｃ１８］
前記ＵＥ情報は、残りのバッテリ寿命を備え、決定するための前記手段は、前記ＵＥがＵＥの前記グループ内の前記ＵＥのうちのいずれよりも長い残りのバッテリ寿命を有すると決定するようにさらに構成されるＣ１７に記載の装置。
［Ｃ１９］
前記ＵＥは、ランダムなプロセスを通じてＵＥの前記グループの前記リーダーとして選択されるＣ１６に記載の装置。
［Ｃ２０］
受信するための前記手段は、
新しいＵＥからグループ加入メッセージを受信するようにさらに構成され、
ＵＥの前記グループに前記新しいＵＥを加えるための手段をさらに備え、
受信するための前記手段は、前記新しいＵＥから属性情報を受信するようにさらに構成されるＣ１６に記載の装置。
［Ｃ２１］
前記属性情報は、低い送信電力を有する１つ以上のＵＥから受信されるＣ１６に記載の装置。
［Ｃ２２］
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備えるＣ１６に記載の装置。
［Ｃ２３］
受信するための前記手段は、
１つ以上のその他のデバイスから１つ以上のメッセージを受信するようにさらに構成され、
ブロードキャストするための前記手段は、前記１つ以上の基本的安全性メッセージを含むメッセージをメッセージダイジェストの形でＵＥの前記グループに送信するようにさらに構成されるＣ１６に記載の装置。
［Ｃ２４］
無線通信のための装置であって、
ユーザ装置（ＵＥ）によって、ＵＥのグループのリーダーＵＥに属性情報を送信するための手段であって、前記ＵＥは、ＵＥの前記グループのメンバーである手段と、
ＵＥの前記グループ外で前記属性情報の少なくとも一部分をブロードキャストするのを禁止するための手段と、を備える、無線通信のための装置。
［Ｃ２５］
前記属性情報は、低い送信電力を用いて前記リーダーＵＥに送信されるＣ２４に記載の装置。
［Ｃ２６］
前記ＵＥに関連する１つ以上のモジュールから前記属性情報を入手するための手段と、
前記属性情報の送信時点で前記１つ以上のモジュールに関するデューティサイクルを低下させるための手段と、をさらに備えるＣ２４に記載の装置。
［Ｃ２７］
送信するための前記手段は、
ＵＥの前記グループの１つ以上のＵＥにグループ加入メッセージを送信するようにさらに構成され、
ＵＥの前記グループへの加入を示す確認メッセージを受信するための手段をさらに備えるＣ２４に記載の装置。
［Ｃ２８］
送信するための前記手段は、ＵＥの前記グループにＵＥ情報をブロードキャストするようにさらに構成され、
ＵＥの前記グループの１つ以上のＵＥからその他のＵＥ情報を受信するための手段と、
前記ＵＥ情報及び前記受信されたその他のＵＥ情報の解析に基づいて前記ＵＥがＵＥの前記グループの新しいリーダーでないと決定するための手段と、をさらに備えるＣ２４に記載の装置。
［Ｃ２９］
前記ＵＥ情報は、
残りのバッテリ電力値、又は
ＵＥの前記グループへの加入時間、のうちの少なくとも１つを備えるＣ２８に記載の装置。
［Ｃ３０］
１つ以上のその他のデバイスからの１つ以上の基本的安全性メッセージを含むメッセージをＵＥの前記グループの前記リーダーＵＥから受信するための手段であって、前記メッセージは、メッセージダイジェストの形である手段、をさらに備えるＣ２４に記載の装置。
［Ｃ３１］
通信のための装置であって、
ユーザ装置（ＵＥ）によって、ＵＥのグループ内の１つ以上のＵＥから属性情報を受信するように構成され、ここにおいて、前記ＵＥは、ＵＥの前記グループのメンバーであり、及び、前記ＵＥは、ＵＥの前記グループのリーダーであり、
前記受信された属性情報に基づいてグループ属性情報を生成するように構成され、及び
ＵＥの前記グループのために前記グループ属性情報をブロードキャストするように構成された処理システム、を備える、通信のための装置。
［Ｃ３２］
前記処理システムは、
ＵＥの前記グループ内の前記ＵＥの各々からＵＥ情報を受信し、及び
前記ＵＥ情報に基づいて前記ＵＥがＵＥの前記グループの前記リーダーであると決定するようにさらに構成されるＣ３１に記載の装置。
［Ｃ３３］
前記ＵＥ情報は、残りのバッテリ寿命を備え、前記処理システムは、前記ＵＥがＵＥの前記グループ内の前記ＵＥのうちのいずれよりも長い残りのバッテリ寿命を有すると決定するようにさらに構成されるＣ３２に記載の装置。
［Ｃ３４］
前記ＵＥは、ランダムなプロセスを通じてＵＥの前記グループの前記リーダーとして選択されるＣ３１に記載の装置。
［Ｃ３５］
前記処理システムは、
新しいＵＥからグループ加入メッセージを受信し、
ＵＥの前記グループに前記新しいＵＥを加え、及び
前記新しいＵＥから属性情報を受信するようにさらに構成されるＣ３１に記載の装置。
［Ｃ３６］
前記属性情報は、低い送信電力を有する１つ以上のＵＥから受信されるＣ３１に記載の装置。
［Ｃ３７］
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備えるＣ３１に記載の装置。
［Ｃ３８］
前記処理システムは、
１つ以上のその他のデバイスから１つ以上のメッセージを受信し、及び
前記１つ以上の基本的安全性メッセージを含むメッセージをメッセージダイジェストの形でＵＥの前記グループに送信するようにさらに構成されるＣ３１に記載の装置。
［Ｃ３９］
通信のための装置であって、
ユーザ装置（ＵＥ）によって、ＵＥのグループのリーダーＵＥに属性情報を送信するように構成され、ここにおいて、前記ＵＥは、ＵＥの前記グループのメンバーであり、及び
ＵＥの前記グループ外で前記属性情報の少なくとも一部分をブロードキャストするのを禁止するように構成される処理システム、を備える、無線通信のための装置。
［Ｃ４０］
前記属性情報は、低い送信電力を用いて前記リーダーＵＥに送信されるＣ３９に記載の装置。
［Ｃ４１］
前記処理システムは、
前記ＵＥに関連する１つ以上のモジュールから前記属性情報を入手し、及び
前記属性情報の送信時点で前記１つ以上のモジュールに関するデューティサイクルを低下させるようにさらに構成されるＣ３９に記載の装置。
［Ｃ４２］
前記処理システムは、
ＵＥの前記グループの１つ以上のＵＥにグループ加入メッセージを送信し、及び
ＵＥの前記グループへの加入を示す確認メッセージを受信するようにさらに構成されるＣ３９に記載の装置。
［Ｃ４３］
前記処理システムは、
ＵＥの前記グループにＵＥ情報をブロードキャストし、
ＵＥの前記グループの１つ以上のＵＥからその他のＵＥ情報を受信し、及び
前記ＵＥ情報及び前記受信されたその他のＵＥ情報の解析に基づいて前記ＵＥがＵＥの前記グループの新しいリーダーでないと決定するようにさらに構成されるＣ３９に記載の装置。
［Ｃ４４］
前記ＵＥ情報は、
残りのバッテリ電力値、又は
ＵＥの前記グループへの加入時間、のうちの少なくとも１つを備えるＣ４３に記載の装置。
［Ｃ４５］
前記処理システムは、
１つ以上のその他のデバイスからの１つ以上の基本的安全性メッセージを含むメッセージをＵＥの前記グループの前記リーダーＵＥから受信するようにさらに構成され、前記メッセージは、メッセージダイジェストの形であるＣ３９に記載の装置。
［Ｃ４６］
コンピュータプログラム製品であって、
ユーザ装置（ＵＥ）によって、ＵＥのグループ内の１つ以上のＵＥから属性情報を受信するためのコードであって、前記ＵＥは、ＵＥの前記グループのメンバーであり、及び、前記ＵＥは、ＵＥの前記グループのリーダーであるコードと、
前記受信された属性情報に基づいてグループ属性情報を生成するためのコードと、
ＵＥの前記グループのために前記グループ属性情報をブロードキャストするためのコードと、を備えるコンピュータによって読み取り可能な媒体、を備える、コンピュータプログラム製品。
［Ｃ４７］
ＵＥの前記グループ内の前記ＵＥの各々からＵＥ情報を受信するためのコードと、
前記ＵＥ情報に基づいて前記ＵＥがＵＥの前記グループの前記リーダーであると決定するためのコードと、をさらに備えるＣ４６に記載のコンピュータプログラム製品。
［Ｃ４８］
前記ＵＥ情報は、残りのバッテリ寿命と、前記ＵＥがＵＥの前記グループ内の前記ＵＥのうちのいずれよりも長い残りのバッテリ寿命を有すると決定するためのさらなるコードと、を備えるＣ４７に記載のコンピュータプログラム製品。
［Ｃ４９］
前記ＵＥは、ランダムなプロセスを通じてＵＥの前記グループの前記リーダーとして選択されるＣ４６に記載のコンピュータプログラム製品。
［Ｃ５０］
新しいＵＥからグループ加入メッセージを受信するためのコードと、
ＵＥの前記グループに前記新しいＵＥを加えるためのコードと、
前記新しいＵＥから属性情報を受信するためのコードと、をさらに備えるＣ４６に記載のコンピュータプログラム製品。
［Ｃ５１］
前記属性情報は、低い送信電力を有する前記１つ以上のＵＥから受信されるＣ４６に記載のコンピュータプログラム製品。
［Ｃ５２］
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備えるＣ４６に記載のコンピュータプログラム製品。
［Ｃ５３］
１つ以上のその他のデバイスから１つ以上のメッセージを受信するためのコードと、
前記１つ以上の基本的安全性メッセージを含むメッセージをメッセージダイジェストの形でＵＥの前記グループに送信するためのコードと、をさらに備えるＣ４６に記載のコンピュータプログラム製品。
［Ｃ５４］
コンピュータプログラム製品であって、
ユーザ装置（ＵＥ）によって、ＵＥのグループのリーダーＵＥに属性情報を送信するためのコードであって、前記ＵＥは、ＵＥの前記グループのメンバーであるコードと、
ＵＥの前記グループ外で前記属性情報の少なくとも一部分をブロードキャストするのを禁止するためのコードと、を備えるコンピュータによって読み取り可能な媒体、を備える、コンピュータプログラム製品。
［Ｃ５５］
前記属性情報は、低い送信電力を用いて前記リーダーＵＥに送信されるＣ５４に記載のコンピュータプログラム製品。
［Ｃ５６］
前記ＵＥに関連する１つ以上のモジュールから前記属性情報を入手するためのコードと、
前記属性情報の送信時点で前記１つ以上のモジュールに関するデューティサイクルを低下させるためのコードと、をさらに備えるＣ５４に記載のコンピュータプログラム製品。
［Ｃ５７］
ＵＥの前記グループの１つ以上のＵＥにグループ加入メッセージを送信するためのコードと、
ＵＥの前記グループへの加入を示す確認メッセージを受信するためのコードと、をさらに備えるＣ５４に記載のコンピュータプログラム製品。
［Ｃ５８］
ＵＥの前記グループにＵＥ情報をブロードキャストするためのコードと、
ＵＥの前記グループの１つ以上のＵＥからその他のＵＥ情報を受信するためのコードと、
前記ＵＥ情報及び前記受信されたその他のＵＥ情報の解析に基づいて前記ＵＥがＵＥの前記グループの新しいリーダーでないと決定するためのコードと、をさらに備えるＣ５４に記載のコンピュータプログラム製品。
［Ｃ５９］
前記ＵＥ情報は、
残りのバッテリ電力値、又は
ＵＥの前記グループへの加入時間、のうちの少なくとも１つを備えるＣ５８に記載のコンピュータプログラム製品。
［Ｃ６０］
１つ以上のその他のデバイスからの１つ以上の基本的安全性メッセージを含むメッセージをＵＥの前記グループの前記リーダーＵＥから受信するためのコードであって、前記メッセージは、メッセージダイジェストの形であるコード、をさらに備えるＣ５４に記載のコンピュータプログラム製品。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
無線通信方法であって、
ユーザ装置（ＵＥ）によって、ＵＥのグループ内の１つ以上のＵＥから属性情報を受信することであって、前記ＵＥは、ＵＥの前記グループのメンバーであり、前記ＵＥは、ＵＥの前記グループのリーダーであることと、
前記受信された属性情報に基づいてグループ属性情報を生成することと、
ＵＥの前記グループ外で１つ以上のその他のデバイスにＵＥの前記グループのために前記グループ属性情報をブロードキャストすることと、を備える、無線通信方法。
【請求項２】
ＵＥの前記グループ内の前記ＵＥの各々からＵＥ情報を受信することと、
前記ＵＥ情報に基づいて前記ＵＥがＵＥの前記グループの前記リーダーであると決定することと、をさらに備える請求項１に記載の方法。
【請求項３】
前記ＵＥ情報は、残りのバッテリ寿命を備え、前記決定することは、前記ＵＥがＵＥの前記グループ内の前記ＵＥのうちのいずれよりも長い残りのバッテリ寿命を有すると決定することをさらに備える請求項２に記載の方法。
【請求項４】
前記ＵＥは、ランダムなプロセスを通じてＵＥの前記グループの前記リーダーとして選択される請求項１に記載の方法。
【請求項５】
新しいＵＥからグループ加入メッセージを受信することと、
ＵＥの前記グループに前記新しいＵＥを加えることと、をさらに備え、前記ＵＥは、前記新しいＵＥから属性情報も受信する請求項１に記載の方法。
【請求項６】
前記属性情報は、低い送信電力を有する前記１つ以上のＵＥから受信される請求項１に記載の方法。
【請求項７】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項１に記載の方法。
【請求項８】
１つ以上のその他のデバイスから１つ以上のメッセージを受信することと、
前記１つ以上の基本的安全性メッセージを含むメッセージをメッセージダイジェストの形でＵＥの前記グループに送信することと、をさらに備える請求項１に記載の方法。
【請求項９】
無線通信方法であって、
ユーザ装置（ＵＥ）によって、ＵＥのグループのリーダーＵＥに属性情報を送信することであって、前記ＵＥは、ＵＥの前記グループのメンバーであることと、
ＵＥの前記グループ外で前記属性情報の少なくとも一部分をブロードキャストするのを禁止することと、
ＵＥの前記グループ内で１つ以上のその他のデバイスからの１つ以上の基本的安全性メッセージを含むメッセージをＵＥの前記グループの前記リーダーＵＥから受信することであって、前記１つ以上の基本的安全性メッセージを含む前記メッセージは、ＵＥの前記グループに関連するグループ属性情報に基づいて受信されることと、を備える、無線通信方法。
【請求項１０】
前記属性情報は、低い送信電力を用いて前記リーダーＵＥに送信される請求項９に記載の方法。
【請求項１１】
前記ＵＥに関連する１つ以上のモジュールから前記属性情報を入手することと、
前記属性情報の送信時点で前記１つ以上のモジュールに関するデューティサイクルを低下させることと、をさらに備える請求項９に記載の方法。
【請求項１２】
ＵＥの前記グループの１つ以上のＵＥにグループ加入メッセージを送信することと、
ＵＥの前記グループへの加入を示す確認メッセージを受信することと、をさらに備える請求項９に記載の方法。
【請求項１３】
ＵＥの前記グループにＵＥ情報をブロードキャストすることと、
ＵＥの前記グループの１つ以上のＵＥからその他のＵＥ情報を受信することと、
前記ＵＥ情報及び前記受信されたその他のＵＥ情報の解析に基づいて前記ＵＥがＵＥの前記グループの新しいリーダーでないと決定することと、をさらに備える請求項９に記載の方法。
【請求項１４】
前記ＵＥ情報は、
残りのバッテリ電力値、又は
ＵＥの前記グループへの加入時間、のうちの少なくとも１つを備える請求項１３に記載の方法。
【請求項１５】
前記メッセージは、メッセージダイジェストの形である請求項９に記載の方法。
【請求項１６】
通信のための装置であって、前記装置は、ユーザ装置（ＵＥ）であり、
前記ＵＥによって、ＵＥのグループ内の１つ以上のＵＥから属性情報を受信するための手段であって、前記ＵＥは、ＵＥの前記グループのメンバーであり、及び、前記ＵＥは、ＵＥの前記グループのリーダーである手段と、
前記受信された属性情報に基づいてグループ属性情報を生成するための手段と、
ＵＥの前記グループ外で１つ以上のその他のデバイスにＵＥの前記グループのために前記グループ属性情報をブロードキャストするための手段と、を備える、通信のための装置。
【請求項１７】
ＵＥの前記グループ内の前記ＵＥの各々からＵＥ情報を受信するための手段と、
前記ＵＥ情報に基づいて前記ＵＥがＵＥの前記グループの前記リーダーであると決定するための手段と、をさらに備える請求項１６に記載の装置。
【請求項１８】
前記ＵＥ情報は、残りのバッテリ寿命を備え、決定するための前記手段は、前記ＵＥがＵＥの前記グループ内の前記ＵＥのうちのいずれよりも長い残りのバッテリ寿命を有すると決定するようにさらに構成される請求項１７に記載の装置。
【請求項１９】
前記ＵＥは、ランダムなプロセスを通じてＵＥの前記グループの前記リーダーとして選択される請求項１６に記載の装置。
【請求項２０】
新しいＵＥからグループ加入メッセージを受信するための手段と、
ＵＥの前記グループに前記新しいＵＥを加えるための手段と、をさらに備え、
属性情報を受信するための前記手段は、前記新しいＵＥから属性情報を受信するようにさらに構成される請求項１６に記載の装置。
【請求項２１】
前記属性情報は、低い送信電力を有する１つ以上のＵＥから受信される請求項１６に記載の装置。
【請求項２２】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項１６に記載の装置。
【請求項２３】
１つ以上のその他のデバイスから１つ以上のメッセージを受信するための手段と、
前記１つ以上の基本的安全性メッセージを含むメッセージをメッセージダイジェストの形でＵＥの前記グループに送信するための手段と、をさらに備える請求項１６に記載の装置。
【請求項２４】
無線通信のための装置であって、前記装置は、ユーザ装置（ＵＥ）であり、
前記ＵＥによって、ＵＥのグループのリーダーＵＥに属性情報を送信するための手段であって、前記ＵＥは、ＵＥの前記グループのメンバーである手段と、
ＵＥの前記グループ外で前記属性情報の少なくとも一部分をブロードキャストするのを禁止するための手段と、
ＵＥの前記グループ内で１つ以上のその他のデバイスからの１つ以上の基本的安全性メッセージを含むメッセージをＵＥの前記グループの前記リーダーＵＥから受信するための手段であって、前記１つ以上の基本的安全性メッセージを含む前記メッセージは、ＵＥの前記グループに関連するグループ属性情報に基づいて受信される手段と、を備える、無線通信のための装置。
【請求項２５】
前記属性情報は、低い送信電力を用いて前記リーダーＵＥに送信される請求項２４に記載の装置。
【請求項２６】
前記ＵＥに関連する１つ以上のモジュールから前記属性情報を入手するための手段と、
前記属性情報の送信時点で前記１つ以上のモジュールに関するデューティサイクルを低下させるための手段と、をさらに備える請求項２４に記載の装置。
【請求項２７】
ＵＥの前記グループの１つ以上のＵＥにグループ加入メッセージを送信するための手段と、
ＵＥの前記グループへの加入を示す確認メッセージを受信するための手段と、をさらに備える請求項２４に記載の装置。
【請求項２８】
ＵＥの前記グループにＵＥ情報をブロードキャストするための手段と、
ＵＥの前記グループの１つ以上のＵＥからその他のＵＥ情報を受信するための手段と、
前記ＵＥ情報及び前記受信されたその他のＵＥ情報の解析に基づいて前記ＵＥがＵＥの前記グループの新しいリーダーでないと決定するための手段と、をさらに備える請求項２４に記載の装置。
【請求項２９】
前記ＵＥ情報は、
残りのバッテリ電力値、又は
ＵＥの前記グループへの加入時間、のうちの少なくとも１つを備える請求項２８に記載の装置。
【請求項３０】
前記メッセージは、メッセージダイジェストの形である請求項２４に記載の装置。
【請求項３１】
通信のための装置であって、前記装置は、ユーザ装置（ＵＥ）であり、
メモリと、
前記メモリに結合された少なくとも１つのプロセッサと、を備え、前記少なくとも１つのプロセッサは、
前記ＵＥによって、ＵＥのグループ内の１つ以上のＵＥから属性情報を受信するように構成され、ここにおいて、前記ＵＥは、ＵＥの前記グループのメンバーであり、及び、前記ＵＥは、ＵＥの前記グループのリーダーであり、
前記受信された属性情報に基づいてグループ属性情報を生成するように構成され、及び
ＵＥの前記グループ外で１つ以上のその他のデバイスにＵＥの前記グループのために前記グループ属性情報をブロードキャストするように構成される、通信のための装置。
【請求項３２】
前記少なくとも１つのプロセッサは、
ＵＥの前記グループ内の前記ＵＥの各々からＵＥ情報を受信し、及び
前記ＵＥ情報に基づいて前記ＵＥがＵＥの前記グループの前記リーダーであると決定するようにさらに構成される請求項３１に記載の装置。
【請求項３３】
前記ＵＥ情報は、残りのバッテリ寿命を備え、前記少なくとも１つのプロセッサは、前記ＵＥがＵＥの前記グループ内の前記ＵＥのうちのいずれよりも長い残りのバッテリ寿命を有すると決定するようにさらに構成される請求項３２に記載の装置。
【請求項３４】
前記ＵＥは、ランダムなプロセスを通じてＵＥの前記グループの前記リーダーとして選択される請求項３１に記載の装置。
【請求項３５】
前記少なくとも１つのプロセッサは、
新しいＵＥからグループ加入メッセージを受信し、
ＵＥの前記グループに前記新しいＵＥを加え、及び
前記新しいＵＥから属性情報を受信するようにさらに構成される請求項３１に記載の装置。
【請求項３６】
前記属性情報は、低い送信電力を有する１つ以上のＵＥから受信される請求項３１に記載の装置。
【請求項３７】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項３１に記載の装置。
【請求項３８】
前記少なくとも１つのプロセッサは、
１つ以上のその他のデバイスから１つ以上のメッセージを受信し、及び
前記１つ以上の基本的安全性メッセージを含むメッセージをメッセージダイジェストの形でＵＥの前記グループに送信するようにさらに構成される請求項３１に記載の装置。
【請求項３９】
通信のための装置であって、前記装置は、ユーザ装置（ＵＥ）であり、
メモリと、
前記メモリに結合された少なくとも１つのプロセッサと、を備え、前記少なくとも１つのプロセッサは、
前記ＵＥによって、ＵＥのグループのリーダーＵＥに属性情報を送信するように構成され、ここにおいて、前記ＵＥは、ＵＥの前記グループのメンバーであり、
ＵＥの前記グループ外で前記属性情報の少なくとも一部分をブロードキャストするのを禁止するように構成され、及び
ＵＥの前記グループ内で１つ以上のその他のデバイスからの１つ以上の基本的安全性メッセージを含むメッセージをＵＥの前記グループの前記リーダーＵＥから受信するように構成され、ここにおいて、前記１つ以上の基本的安全性メッセージを含む前記メッセージは、ＵＥの前記グループに関連するグループ属性情報に基づいて受信される、無線通信のための装置。
【請求項４０】
前記属性情報は、低い送信電力を用いて前記リーダーＵＥに送信される請求項３９に記載の装置。
【請求項４１】
前記少なくとも１つのプロセッサは、
前記ＵＥに関連する１つ以上のモジュールから前記属性情報を入手し、及び
前記属性情報の送信時点で前記１つ以上のモジュールに関するデューティサイクルを低下させるようにさらに構成される請求項３９に記載の装置。
【請求項４２】
前記少なくとも１つのプロセッサは、
ＵＥの前記グループの１つ以上のＵＥにグループ加入メッセージを送信し、及び
ＵＥの前記グループへの加入を示す確認メッセージを受信するようにさらに構成される請求項３９に記載の装置。
【請求項４３】
前記少なくとも１つのプロセッサは、
ＵＥの前記グループにＵＥ情報をブロードキャストし、
ＵＥの前記グループの１つ以上のＵＥからその他のＵＥ情報を受信し、及び
前記ＵＥ情報及び前記受信されたその他のＵＥ情報の解析に基づいて前記ＵＥがＵＥの前記グループの新しいリーダーでないと決定するようにさらに構成される請求項３９に記載の装置。
【請求項４４】
前記ＵＥ情報は、
残りのバッテリ電力値、又は
ＵＥの前記グループへの加入時間、のうちの少なくとも１つを備える請求項４３に記載の装置。
【請求項４５】
前記メッセージは、メッセージダイジェストの形である請求項３９に記載の装置。
【請求項４６】
ユーザ装置（ＵＥ）に関連する非一時的なコンピュータによって読み取り可能な媒体であって、無線通信のためのコンピュータによって実行可能なコードを記憶し、
前記ＵＥによって、ＵＥのグループ内の１つ以上のＵＥから属性情報を受信するためのコードであって、前記ＵＥは、ＵＥの前記グループのメンバーであり、及び、前記ＵＥは、ＵＥの前記グループのリーダーであるコードと、
前記受信された属性情報に基づいてグループ属性情報を生成するためのコードと、
ＵＥの前記グループ外で１つ以上のその他のデバイスにＵＥの前記グループのために前記グループ属性情報をブロードキャストするためのコードと、を備える、非一時的なコンピュータによって読み取り可能な媒体。
【請求項４７】
ＵＥの前記グループ内の前記ＵＥの各々からＵＥ情報を受信するためのコードと、
前記ＵＥ情報に基づいて前記ＵＥがＵＥの前記グループの前記リーダーであると決定するためのコードと、をさらに備える請求項４６に記載の非一時的なコンピュータによって読み取り可能な媒体。
【請求項４８】
前記ＵＥ情報は、残りのバッテリ寿命と、前記ＵＥがＵＥの前記グループ内の前記ＵＥのうちのいずれよりも長い残りのバッテリ寿命を有すると決定するためのさらなるコードと、を備える請求項４７に記載の非一時的なコンピュータによって読み取り可能な媒体。
【請求項４９】
前記ＵＥは、ランダムなプロセスを通じてＵＥの前記グループの前記リーダーとして選択される請求項４６に記載の非一時的なコンピュータによって読み取り可能な媒体。
【請求項５０】
新しいＵＥからグループ加入メッセージを受信するためのコードと、
ＵＥの前記グループに前記新しいＵＥを加えるためのコードと、
前記新しいＵＥから属性情報を受信するためのコードと、をさらに備える請求項４６に記載の非一時的なコンピュータによって読み取り可能な媒体。
【請求項５１】
前記属性情報は、低い送信電力を有する前記１つ以上のＵＥから受信される請求項４６に記載の非一時的なコンピュータによって読み取り可能な媒体。
【請求項５２】
前記グループ属性情報は、
ＵＥの前記グループに関する位置情報、
ＵＥの前記グループに関する速度情報、
ＵＥの前記グループに関するサイズ情報、
道路を横断する意図であることの表示、又は
ＵＥの前記グループ内の１つ以上のＵＥに関連する状態、のうちの少なくとも１つを備える請求項４６に記載の非一時的なコンピュータによって読み取り可能な媒体。
【請求項５３】
１つ以上のその他のデバイスから１つ以上のメッセージを受信するためのコードと、
前記１つ以上の基本的安全性メッセージを含むメッセージをメッセージダイジェストの形でＵＥの前記グループに送信するためのコードと、をさらに備える請求項４６に記載の非一時的なコンピュータによって読み取り可能な媒体。
【請求項５４】
ユーザ装置（ＵＥ）に関連する非一時的なコンピュータによって読み取り可能な媒体であって、無線通信のためのコンピュータによって実行可能なコードを記憶し、
前記ＵＥによって、ＵＥのグループのリーダーＵＥに属性情報を送信するためのコードであって、前記ＵＥは、ＵＥの前記グループのメンバーであるコードと、
ＵＥの前記グループ外で前記属性情報の少なくとも一部分をブロードキャストするのを禁止するためのコードと、
ＵＥの前記グループ内で１つ以上のその他のデバイスからの１つ以上の基本的安全性メッセージを含むメッセージをＵＥの前記グループの前記リーダーＵＥから受信するためのコードであって、前記１つ以上の基本的安全性メッセージを含む前記メッセージは、ＵＥの前記グループに関連するグループ属性情報に基づいて受信されるコードと、を備える、非一時的なコンピュータによって読み取り可能な媒体。
【請求項５５】
前記属性情報は、低い送信電力を用いて前記リーダーＵＥに送信される請求項５４に記載の非一時的なコンピュータによって読み取り可能な媒体。
【請求項５６】
前記ＵＥに関連する１つ以上のモジュールから前記属性情報を入手するためのコードと、
前記属性情報の送信時点で前記１つ以上のモジュールに関するデューティサイクルを低下させるためのコードと、をさらに備える請求項５４に記載の非一時的なコンピュータによって読み取り可能な媒体。
【請求項５７】
ＵＥの前記グループの１つ以上のＵＥにグループ加入メッセージを送信するためのコードと、
ＵＥの前記グループへの加入を示す確認メッセージを受信するためのコードと、をさらに備える請求項５４に記載の非一時的なコンピュータによって読み取り可能な媒体。
【請求項５８】
ＵＥの前記グループにＵＥ情報をブロードキャストするためのコードと、
ＵＥの前記グループの１つ以上のＵＥからその他のＵＥ情報を受信するためのコードと、
前記ＵＥ情報及び前記受信されたその他のＵＥ情報の解析に基づいて前記ＵＥがＵＥの前記グループの新しいリーダーでないと決定するためのコードと、をさらに備える請求項５４に記載の非一時的なコンピュータによって読み取り可能な媒体。
【請求項５９】
前記ＵＥ情報は、
残りのバッテリ電力値、又は
ＵＥの前記グループへの加入時間、のうちの少なくとも１つを備える請求項５８に記載の非一時的なコンピュータによって読み取り可能な媒体。
【請求項６０】
前記メッセージは、メッセージダイジェストの形である請求項５４に記載の非一時的なコンピュータによって読み取り可能な媒体。
【国際調査報告】
2016523029.tif 000015
2016523029.tif 000016
2016523029.tif 000017
2016523029.tif 000018
2016523029.tif 000019